(57)【要約】消毒状態を監視するシステムおよび方法が提供される。
2009532096.tif 000002
【特許請求の範囲】
【請求項１】
１つ以上の空間と関連する１つ以上の消毒度に対する１つ以上の対象と関連する１つ以上の消毒状態の比較；および
上記比較に対応した１つ以上の信号の生成
を包含する方法。
【請求項２】
１つ以上の空間と関連する１つ以上の消毒度に対する１つ以上の対象と関連する１つ以上の消毒状態の上記比較は、
１つ以上の消毒状態が１つ以上の消毒度と関連する１つ以上の適合範囲内である場合の決定
を包含する請求項１に記載の方法。
【請求項３】
１つ以上の空間と関連する１つ以上の消毒度に対する１つ以上の対象と関連する１つ以上の消毒状態の上記比較は、
１つ以上の消毒状態が１つ以上の消毒度と関連する１つ以上の適合範囲外である場合の決定
を包含する請求項１に記載の方法。
【請求項４】
上記比較に対応した１つ以上の信号の上記生成は、
１つ以上の上記消毒度に対する１つ以上の上記消毒状態の適合と関連する１つ以上の上記信号の生成
を包含する請求項１に記載の方法。
【請求項５】
上記比較に対応した１つ以上の信号の上記生成は、
１つ以上の上記消毒度に対する１つ以上の上記消毒状態の不適合と関連する１つ以上の上記信号の生成
を包含する請求項１に記載の方法。
【請求項６】
上記比較に対応した１つ以上の信号の上記生成は、
１つ以上の上記空間に１つ以上の上記対象が入ることと関連する１つ以上の上記信号の生成
を包含する請求項１に記載の方法。
【請求項７】
上記比較に対応した１つ以上の信号の上記生成は、
１つ以上の上記空間から１つ以上の上記対象が出ることと関連する１つ以上の上記信号の生成
を包含する請求項１に記載の方法。
【請求項８】
上記比較に対応した１つ以上の信号の上記生成は、
１つ以上の警告ユニットと関連する１つ以上の上記信号の生成
を包含する請求項１に記載の方法。
【請求項９】
上記比較に対応した１つ以上の信号の上記生成は、
１つ以上の記録ユニットと関連する１つ以上の上記信号の生成
を包含する請求項１に記載の方法。
【請求項１０】
上記比較に対応した１つ以上の信号の上記生成は、
１つ以上の消毒ユニットと関連する１つ以上の上記信号の生成
を包含する請求項１に記載の方法。
【請求項１１】
上記比較に対応した１つ以上の信号の上記生成は、
１つ以上の制御ユニットと関連する１つ以上の上記信号の生成
を包含する請求項１に記載の方法。
【請求項１２】
１つ以上の空間と関連する１つ以上の消毒度に対する１つ以上の対象と関連する１つ以上の消毒状態の比較に対応して生成された１つ以上の信号の受信；および
上記受信に対応する応答
を包含する方法。
【請求項１３】
１つ以上の空間と関連する１つ以上の消毒度に対する１つ以上の対象と関連する１つ以上の消毒状態の比較に対応して生成された１つ以上の信号の上記受信は、
１つ以上の上記消毒度に対する１つ以上の上記消毒状態の適合と関連する１つ以上の上記信号の受信
を包含する請求項１２に記載の方法。
【請求項１４】
１つ以上の空間と関連する１つ以上の消毒度に対する１つ以上の対象と関連する１つ以上の消毒状態の比較に対応して生成された１つ以上の信号の上記受信は、
１つ以上の上記消毒度に対する１つ以上の上記消毒状態の不適合と関連する１つ以上の上記信号の受信
を包含する請求項１２に記載の方法。
【請求項１５】
１つ以上の空間と関連する消毒度に対する１つ以上の対象と関連する１つ以上の消毒状態の比較に対応して生成された１つ以上の信号の上記受信は、
１つ以上の上記空間に１つ以上の上記対象が入ることと関連する１つ以上の上記信号の受信
を包含する請求項１２に記載の方法。
【請求項１６】
１つ以上の空間と関連する１つ以上の消毒度に対する１つ以上の対象と関連する１つ以上の消毒状態の比較に対応して生成された１つ以上の信号の上記受信は、
１つ以上の上記空間から１つ以上の上記対象が出ることと関連する１つ以上の上記信号の受信
を包含する請求項１２に記載の方法。
【請求項１７】
１つ以上の空間と関連する１つ以上の消毒度に対する１つ以上の対象と関連する１つ以上の消毒状態の比較に対応して生成された１つ以上の信号の上記受信は、
１つ以上の警告ユニットと関連する１つ以上の上記信号の受信
を包含する請求項１２に記載の方法。
【請求項１８】
１つ以上の空間と関連する１つ以上の消毒度に対する１つ以上の対象と関連する１つ以上の消毒状態の比較に対応して生成された１つ以上の信号の上記受信は、
１つ以上の記録ユニットと関連する１つ以上の上記信号の受信
を包含する請求項１２に記載の方法。
【請求項１９】
１つ以上の空間と関連する１つ以上の消毒度に対する１つ以上の対象と関連する１つ以上の消毒状態の比較に対応して生成された１つ以上の信号の上記受信は、
１つ以上の消毒ユニットと関連する１つ以上の上記信号の受信
を包含する請求項１２に記載の方法。
【請求項２０】
１つ以上の空間と関連する１つ以上の消毒度に対する１つ以上の対象と関連する１つ以上の消毒状態の比較に対応して生成された１つ以上の信号の上記受信は、
１つ以上の制御ユニットと関連する上記信号の受信
を包含する請求項１２に記載の方法。
【請求項２１】
上記受信に対応する上記応答は、
１つ以上の上記空間に１つ以上の上記対象が入ることと関連する１つ以上の制御信号の生成
を包含する請求項１２に記載の方法。
【請求項２２】
上記受信に対応する上記応答は、
１つ以上の上記空間から１つ以上の上記対象が出ることと関連する１つ以上の制御信号の生成
を包含する請求項１２に記載の方法。
【請求項２３】
上記受信に対応する上記応答は、
１つ以上の警告ユニットと関連する１つ以上の制御信号の生成
を包含する請求項１２に記載の方法。
【請求項２４】
上記受信に対応する上記応答は、
１つ以上の記録ユニットと関連する１つ以上の制御信号の生成
を包含する請求項１２に記載の方法。
【請求項２５】
上記受信に対応する上記応答は、
１つ以上の消毒ユニットと関連する１つ以上の制御信号の生成
を包含する請求項１２に記載の方法。
【請求項２６】
上記受信に対応する上記応答は、
１つ以上の制御ユニットと関連する１つ以上の制御信号の生成
を包含する請求項１２に記載の方法。
【請求項２７】
１つ以上の空間と関連する１つ以上の消毒度に対する１つ以上の対象と関連する１つ以上の消毒状態の比較；および
上記比較に対応した１つ以上の制御信号の生成
を包含する方法。
【請求項２８】
１つ以上の空間と関連する１つ以上の消毒度に対する１つ以上の対象と関連する１つ以上の消毒状態の上記比較は、
１つ以上の上記消毒状態が１つ以上の上記消毒度と関連する１つ以上の適合範囲内である場合の決定
を包含する請求項２７に記載の方法。
【請求項２９】
１つ以上の空間と関連する１つ以上の消毒度に対する１つ以上の対象と関連する１つ以上の消毒状態の上記比較は、
１つ以上の上記消毒状態が１つ以上の上記消毒度と関連する１つ以上の適合範囲外である場合の決定
を包含する請求項２７に記載の方法。
【請求項３０】
上記比較に対応した１つ以上の制御信号の上記生成は、
１つ以上の上記空間に１つ以上の上記対象が入ることと関連する１つ以上の制御信号の生成
を包含する請求項２７に記載の方法。
【請求項３１】
上記比較に対応した１つ以上の制御信号の上記生成は、
１つ以上の上記空間から１つ以上の上記対象が出ることと関連する１つ以上の制御信号の生成
を包含する請求項２７に記載の方法。
【請求項３２】
上記比較に対応した１つ以上の制御信号の上記生成は、
１つ以上の警告ユニットと関連する１つ以上の制御信号の生成
を包含する請求項２７に記載の方法。
【請求項３３】
上記比較に対応した１つ以上の制御信号の上記生成は、
１つ以上の記録ユニットと関連する１つ以上の制御信号の生成
を包含する請求項２７に記載の方法。
【請求項３４】
上記比較に対応した１つ以上の制御信号の上記生成は、
１つ以上の消毒ユニットと関連する１つ以上の制御信号の生成
を包含する請求項２７に記載の方法。
【請求項３５】
上記比較に対応した１つ以上の制御信号の上記生成は、
１つ以上の制御ユニットと関連する１つ以上の制御信号の生成
を包含する請求項２７に記載の方法。
【請求項３６】
請求項１〜３５のいずれか１項に記載の上記方法を実行する手段を包含するシステム。
【請求項３７】
請求項１〜３５のいずれか１項に記載の上記方法を実行する上記手段は、回路構成を包含する請求項３６に記載のシステム。
【請求項３８】
請求項１〜３５のいずれか１項に記載の上記方法を実行する上記手段は、論理を包含する請求項３６に記載のシステム。
【請求項３９】
請求項１〜３５のいずれか１項に記載の上記方法を実行する上記手段は、１つ以上のプログラム命令を包含する請求項３６に記載のシステム。
【発明の詳細な説明】
【発明の詳細な説明】
【０００１】
〔関連出願に対する相互参照〕
本出願は、以下に挙げられている（複数の）出願（“関連出願”）に由来する最先の有効な出願完了日の利益に関連し、かつ当該利益を主張する（例えば、仮特許出願以外に関する最先の有効な優先日を主張するか、または仮特許出願に関して、関連出願のあらゆるおよびすべての親出願、祖父出願、曽祖父出願などに関して、合衆国法典第３５巻第１１９条の（ｅ）に基づく特権を主張する）。
【０００２】
〔関連出願〕
ＵＳＰＴＯの法的要件外の目的において、本出願は、米国特許出願（第１１／３９６，２５６号、発明の名称：消毒方法およびシステム、発明者としてEdward K. Y. Jung、Royce A. Levien、Robert W. Lord、Mark A. Malamud、John D. Rinaldo, Jr.、およびLowell L. Wood, Jr.を指定、２００６年３月３１日出願）の一部継続出願を構成する。
【０００３】
ＵＳＰＴＯの法的要件外の目的において、本出願は、米国特許出願（出願番号未定、発明の名称：消毒装置検査方法およびシステム、発明者としてRoderick A. Hyde、Edward K. Y. Jung、Royce A. Levien、Robert W. Lord、Mark A. Malamud、John D. Rinaldo, Jr.、Clarence T. Tegreene、およびLowell L. Wood Jr.を指定、２００６年４月２５日出願）の一部継続出願を構成する。
【０００４】
上記の参照した出願の両方は、現在のところ同時継続であるか、または上記の参照した出願の両方は、現在のところ同時継続の出願が上記出願日の利益に対する権利を与えられる出願である。
【０００５】
米国特許局（ＵＳＰＴＯ）は、（ａ）特許出願人が両方の出願番号を参照すること、および（ｂ）特許出願人が、出願が継続出願もしくは一部継続出願であるか否かを示すことを、ＵＳＰＴＯのコンピュータプログラムが必要とするという意味についての通知を公開している。Stephen G. Kunin、先に提出した出願の利益、２００３年３月１８日のＵＳＰＴＯ公報、http://www.uspto.gov/web/offices/com/sol/og/2003/weekll/patbene.htmに用意されている。本出願人の団体は、法令によって述べられているように優先権が主張されている（複数の）出願に対する上記の特定の参照を与えている。出願人の団体は、法令が特定の基準言語において明瞭であり、かつ米国特許出願に対する優先権の主張のために、出願番号またはあらゆる説明（例えば、“継続出願”または“一部継続出願”）のいずれかを必要としないことを理解する。前記のものに逆らうことなく、出願人の団体は、ＵＳＰＴＯのコンピュータプログラムが、特定のデータ入力要求を有することを理解し、かつそれ故に、出願人の団体は、上記のその親出願の一部継続出願として本出願を指定しているが、当該指定が、本出願がその（複数の）親出願の内容に加えてあらゆる新たな内容を含むか否かについて、あらゆる種類の所見および／または自認として決して解釈されるべきではないことを特に指摘する。
【０００６】
関連出願の内容のすべて、および関連出願のあらゆるすべての親出願、祖父出願、曽祖父出願などの内容は、当該内容が本明細書と矛盾しない範囲において、引用によって本明細書に組み込まれる。
【０００７】
〔技術分野〕
本開示内容は、保健医療および製造設備といった多くの状況の範囲内において消毒状態に対する監視に使用され得る、方法およびシステムに関する。
【０００８】
〔要約〕
いくつかの実施形態において、１つ以上の空間と関連する１つ以上の消毒度に対する１つ以上の対象と関連する１つ以上の消毒状態の比較、および上記比較に対応した１つ以上の信号の生成を包含する方法が、提供される。上記に加えて、方法の他の局面は、本開示内容の一部を形成する特許請求の範囲、図面および本文に記載されている。
【０００９】
ある実施形態おいて、１つ以上の１つ以上の空間と関連する１つ以上の消毒度に対する１つ以上の対象と関連する１つ以上の消毒状態の比較に対応して生成された１つ以上の信号の受信、および上記受信に対応する応答を包含する方法が、提供される。上記に加えて、方法の他の局面は、本開示内容の一部を形成する特許請求の範囲、図面および本文に記載されている。
【００１０】
いくつかの実施形態において、１つ以上の空間と関連する１つ以上の消毒度に対する１つ以上の対象と関連する１つ以上の消毒状態の比較用の回路構成、および上記比較に対応した１つ以上の信号の生成用の回路構成を包含するシステムが、提供される。上記に加えて、システムの他の局面は、本開示内容の一部を形成する特許請求の範囲、図面および本文に記載されている。
【００１１】
いくつかの実施形態において、１つ以上の空間と関連する１つ以上の消毒度に対する１つ以上の対象と関連する１つ以上の消毒状態の比較に対応して生成された１つ以上の信号の受信用の回路構成、および上記受信に対応する応答用の回路構成を包含するシステムが、提供される。上記に加えて、システムの他の局面は、本開示内容の一部を形成する特許請求の範囲、図面および本文に記載されている。
【００１２】
いくつかの実施形態において、１つ以上の空間と関連する１つ以上の消毒度に対する１つ以上の対象と関連する１つ以上の消毒状態を比較する手段、および上記比較に対応した１つ以上の信号を生成する手段を包含するシステムが、提供される。上記に加えて、システムの他の局面は、本開示内容の一部を形成する特許請求の範囲、図面および本文に記載されている。
【００１３】
いくつかの実施形態において、１つ以上の空間と関連する消毒度に対する１つ以上の対象と関連する１つ以上の消毒状態の比較に対応して生成された１つ以上の信号を受信する手段、および上記受信に対応して応答する手段を包含するシステムが、提供される。上記に加えて、システムの他の局面は、本開示内容の一部を形成する特許請求の範囲、図面および本文に記載されている。
【００１４】
１つ以上の種々の局面において、関連するシステムとしては、本明細書に言及される方法の局面を達成する回路構成および／またはプログラミング；システム設計者の設計選択に基づいて本明細書に言及される方法の局面を達成するために構成された、ハードウェア、ソフトウェア、および／またはファームウェアの実質的にあらゆる組み合わせであり得る回路構成および／またはプログラミングが挙げられるが、これらに限定されない。上記に加えて、システムの他の局面は、本開示内容の一部を形成する特許請求の範囲、図面および本文に記載されている。
【００１５】
上記の要約は、単に例証であり、かつ決して限定すべきことを意図されない。上記において説明した例証的な局面、実施形態、および特徴に加えて、さらなる局面、実施形態、および特徴は、図面、特許請求の範囲、および以下の詳細な説明を参照することによって明らかになる。
【００１６】
〔図面の簡単な説明〕
図１は、実施形態が実施され得る例示的なシステム１００を説明する。
【００１７】
図２は、監視方法に関する例示的な動作を表す動作フローを説明する。
【００１８】
図３は、図２の例示的な動作フローの代替可能な実施形態を説明する。
【００１９】
図４は、図２の例示的な動作フローの代替可能な実施形態を説明する。
【００２０】
図５は、図２の例示的な動作フローの代替可能な実施形態を説明する。
【００２１】
図６は、監視方法に関する例示的な動作を表す動作フローを説明する。
【００２２】
図７は、図６の例示的な動作フローの代替可能な実施形態を説明する。
【００２３】
図８は、図６の例示的な動作フローの代替可能な実施形態を説明する。
【００２４】
図９は、図６の例示的な動作フローの代替可能な実施形態を説明する。
【００２５】
図１０は、監視システムに関する回路構成を表す動作フローを説明する。
【００２６】
図１１は、監視システムに関する回路構成を表す動作フローを説明する。
【００２７】
〔詳細な説明〕
以下の詳細な説明において、本明細書の一部を形成する添付の図面に対して言及がなされる。図面において、同様の符号は、補かに事情が指示されていない限り、同様の構成要素を典型的に特定する。詳細な説明、図面、および特許請求の範囲に記載の例証的な実施形態は、限定すべきことを意図されない。ここに表される内容の精神または範囲から逸脱せずに、他の実施形態が利用され得、かつ他の変更がなされ得る。
【００２８】
種々の局面および実施形態が、本明細書に開示されていると同時に、他の局面および実施形態は、当業者にとって明らかである。本明細書に開示されている種々局面および実施形態は、例示を目的としており、かつ後の特許請求の範囲によって示されている真の範囲および精神に対して限定すべきことを意図されない。
【００２９】
図１は、実施形態が実行され得る例示的なシステム１００を説明する。いくつかの実施形態において、システム１００は、消毒状態を監視するために使用され得る方法を提供するために、使用可能である。いくつかの実施形態において、システム１００は、１つ以上の空間１０４に１つ以上の対象１０２が入ることを容易にするために使用され得る方法を提供するために、使用可能である。いくつかの実施形態において、システム１００は、１つ以上の空間１０４に１つ以上の対象１０２が入ることを禁止するために使用され得る方法を提供するために、使用可能である。いくつかの実施形態において、システム１００は、１つ以上の対象１０２の動きを追跡するために使用され得る方法を提供するために、使用可能である。いくつかの実施形態において、システム１００は、１つ以上の対象１０２の動きを記録するために使用され得る方法を提供するために、使用可能である。いくつかの実施形態において、システム１００は、１つ以上の対象１０２の１つ以上の消毒状態を記録するために使用され得る方法を提供するために使用され得る。いくつかの実施形態において、システム１００は、１つ以上の対象１０２の消毒を促進するために使用され得る方法を提供するために、使用可能である。ある実施形態おいて、システム１００は、１つ以上の空間１０４の消毒を促進するために使用され得る方法を提供するために、使用可能である。いくつかの実施形態において、システム１００は、１つ以上の空間１０４に１つ以上の未消毒の対象１０２が入ることを禁止するために使用され得る方法を提供するために、使用可能である。いくつかの実施形態において、システム１００は、１つ以上の消毒した空間１０４に１つ以上の未消毒の対象１０２が入ることを禁止するために使用され得る方法を提供するために、使用可能である。いくつかの実施形態において、システム１００は、１つ以上の未消毒の空間１０４に１つ以上の消毒した対象１０２が入ることを禁止するために使用され得る方法を提供するために、使用可能である。いくつかの実施形態において、１つ以上の対象１０２の再利用を禁止するために使用され得る方法を提供するために、使用可能である。いくつかの実施形態において、１つ以上の対象１０２の消毒の直後に、１つ以上の対象１０２の再利用を促進するために使用され得る方法を提供するために、使用可能である。いくつかの実施形態において、システム１００は、１つ以上の空間１０４に１人以上の人間が入ることを禁止するために使用され得る方法を提供するために、使用可能である。いくつかの実施形態において、１つ以上の空間１０４に１人以上の人間が入ることを促進するために使用され得る方法を提供するために、使用可能である。いくつかの実施形態において、システム１００は、１人以上の人間がいる１つ以上の空間１０４に１人以上の人間が入ることを禁止するために使用され得る方法を提供するために、使用可能である。いくつかの実施形態において、システム１００は、１人以上の人間がいる１つ以上の空間１０４に１人以上の人間が入ることを促進するために使用され得る方法を提供するために、使用可能である。
【００３０】
（比較ユニット）
システム１００は、１つ以上の比較ユニット１０６を包含し得る。いくつかの実施形態において、１つ以上の比較ユニット１０６は、１つ以上の対象１０２と関連する１つ以上の消毒状態１０８を検出できる。ある実施形態において１つ以上の比較ユニット１０６は、１つ以上の空間１０４と関連する１つ以上の消毒度１１０を検出できる。いくつかの実施形態において、１つ以上の比較ユニット１０６は、１つ以上の空間１０４と関連する１つ以上の消毒度１１０に対して、１つ以上の対象１０２と関連する消毒状態１０８を比較できる。いくつかの実施形態において、１つ以上の比較ユニット１０６は、１つ以上の消毒状態１０８が１つ以上の消毒度１１０と関連する１つ以上の１つ以上の値を超えている場合を決定できる。いくつかの実施形態において、１つ以上の比較ユニット１０６は、１つ以上の消毒状態１０８が１つ以上の消毒度１１０と関連する１つ以上の値に満たない場合を決定できる。１つ以上の実施形態において、１つ以上の比較ユニット１０６は、１つ以上の消毒状態１０８が１つ以上の消毒度１１０と関連する値の範囲内にある場合を決定できる。いくつかの実施形態において、複数の消毒度１１０は、１つ以上の空間１０４と関連し得る。従って、いくつかの実施形態において、１つ以上の比較ユニット１０６は、１つ以上の空間１０４と関連する１つ以上の消毒度１１０に対して、１つ以上の消毒状態１０８を比較できる。比較ユニット１０６は、多くの技術を利用して、１つ以上の対象１０２と関連する１つ以上の消毒状態１０８を検出できる。例えば、いくつかの実施形態において、比較ユニット１０６は、蛍光指示薬、高周波信号、磁気特性、化学指示薬の呈色、およびバーコードなどを検出できる。当該検出方法の使用は、公知であり、かつ例えば、引用によって本発明に組み込まれる米国特許第６，４８５，９７９号明細書（Electronic system for tracking and monitoring articles to be sterilized and associated method）に説明されている。いくつかの実施形態において、比較ユニット１０６は、これらに限定されないが、運動検出器、赤外線検出器、網膜走査器、および体重検知器などを含む技術を利用できる。いくつかの実施形態において、１つ以上の比較ユニット１０６は、１つ以上の対象１０２と関連する消毒状態１０８を変えることができる。いくつかの実施形態において、１つ以上の比較ユニット１０６は、１つ以上の対象１０２が消毒された後に、１つ以上の対象１０２と関連する消毒状態１０８を変えることができる。従って、いくつかの実施形態において、１つ以上の比較ユニット１０６は、最初に低い消毒状態１０８と関連していた１つ以上の対象１０２と関連する消毒状態１０８を、１つ以上の対象１０２が消毒された後の高い消毒状態１０８に変えることができる。いくつかの実施形態において、１つ以上の比較ユニット１０６は、最初に高い消毒状態１０８と関連していた１つ以上の対象１０２と関連する消毒状態１０８を、１つ以上の対象１０２が未消毒の空間１０４にさらされた後の低い消毒状態１０８に変えることができる。従って、いくつかの実施形態において、１つ以上の比較ユニット１０６は、１つ以上の対象１０２と関連する１つ以上の消毒状態１０８を、実質的にあらゆる消毒状態１０８に変えることができる。比較ユニット１０６は、様々な様式に構成され得る。当該様式の例としては、腕輪、指輪、カード、首飾りおよびバッジなどが挙げられるが、これらに限定されない。
【００３１】
いくつかの実施形態において、１つ以上の比較ユニット１０６は、１つ以上の消毒状態１０８が関連付けられていない１つ以上の対象１０２を検出し得る。従って、いくつかの実施形態において、１つ以上の比較ユニット１０６は、１つ以上の対象１０２が、１つ以上の空間１０４にまたは１つ以上の空間１０４から、入ること、出ること、および／またはこれらの実質的にあらゆる組み合わせを示す１つ以上の信号１１２を生成し得る。例えば、いくつかの実施形態において、１つ以上の比較ユニット１０６は、１つ以上の消毒状態１０８と関連付けられていない対象１０２（例えば、ハツカネズミ）が、１つ以上の空間１０４に、または１つ以上の空間１０４の外に入ることを検出し得る。従って、１つ以上の比較ユニット１０６は、対象１０２（例えば、ハツカネズミ）が１つ以上の空間１０４から入ること、出ること、および／または実質的にこれらの実質的にあらゆる組み合わせを示す１つ以上の信号１１２を生成し得る。いくつかの実施形態において、１つ以上の信号１１２は、１つ以上の空間１０４内における１つ以上の対象１０２（例えば、ハツカネズミ）の存在を記録するために、１つ以上の記録ユニット１１６と関連し得る。いくつかの実施形態において、１つ以上の信号１１２は、１つ以上の空間１０４内における１つ以上の対象１０２（例えば、ハツカネズミ）の存在を示すために、１つ以上の警告ユニット１２８と関連し得る。いくつかの実施形態において、１つ以上の比較ユニット１０６は、１つ以上の消毒状態１０８とあらかじめ関連していない１つ以上の対象１０２に対して、１つ以上の消毒状態１０８を関連付ける。例えば、いくつかの実施形態において、１つ以上の比較ユニット１０６は、１つ以上の空間１０４にハエが入ることを検出し得、かつハエと１つ以上の未消毒の消毒状態１０８を関連付け得る。従って、いくつかの実施形態において、１つ以上の比較ユニット１０６は、１つ以上の空間１０４に未消毒のハエが入ることを示す１つ以上の信号１１２を生成し得る。当該信号１１２は、１つ以上の空間１０４内におけるハエの存在を記録する、および／または示すために、１つ以上の記録ユニット１１６および／または１つ以上の警告ユニット１２８と関連し得る。
【００３２】
（消毒状態）
多くの基準は、１つ以上の消毒状態１０８を、１つ以上の対象１０２に対して関連付けるために使用され得る。当該基準としては、対象１０２、対象１０２が消毒された時間の長さ、対象１０２を消毒するために使用された消毒剤の種類、対象１０２が消毒された最後の時点、対象１０２が使用されている回数、対象１０２が消毒されている回数、対象１０２が消毒される頻度、対象１０２が使用される目的、対象１０２がさらされた汚染の種類、および／またはこれらの実質的な組み合わせの特定が挙げられるが、これらに限定されない。いくつかの実施形態において、対象１０２と関連する消毒状態１０８は、対象１０２が未消毒であることを示し得る。いくつかの実施形態において、対象１０２と関連する消毒状態１０８は、対象１０２が消毒されていることを示し得る。いくつかの実施形態において、対象１０２と関連する消毒状態１０８は、１種類以上の汚染に関して対象１０２が消毒されていることを示し得る。いくつかの実施形態において、対象１０２と関連する消毒状態１０８は、１種類以上の汚染に関して対象１０２が未消毒であることを示し得る。例えば、対象１０２は、細菌汚染に関して消毒され得るが、プリオンについての汚染に関して未消毒であり得る。いくつかの実施形態において、消毒した、または未消毒の消毒状態１０８は、相対的な大きさに従って、１つ以上の対象１０２と関連し得る。例えば、いくつかの実施形態において、１つ以上の対象１０２は、消毒されている１００万の対象１０２毎に、１固体も微生物が存在しない場合（例えば、欧州規格  ＥＮ５５６によって規定される消毒の確かさの度合い）が考えられる、消毒した状態と関連し得る。いくつかの実施形態において、１つ以上の消毒状態１０８は、公知の標準および方法（例えば、国際標準化機構（例えば、ＩＳＯ  １１１３７およびＩＳＯ  １１１３５）によって提案されているそれら）の利用を介して、定義され得、かつ確認され得る。いくつかの実施形態において、多くの尺度が、１つ以上の消毒状態１０８を１つ以上の対象１０２に対して関連付けるために、使用され得る。例えば、いくつかの実施形態において、０から１０までの範囲の数字が、１つ以上の対象１０２と関連する１つ以上の消毒状態１０８を規定するために、使用され得る。いくつかの実施形態において、０から１００までの範囲の数字が、１つ以上の対象１０２と関連する１つ以上の消毒状態１０８を規定するために、使用され得る。従って、実質的にあらゆる多くの範囲が、１つ以上の対象１０２と関連する１つ以上の消毒状態１０８を規定するために、使用され得る。いくつかの実施形態において、消毒状態１０８は、相対的な表現の使用を介して、規定され得る。当該相対的な表現の例としては、消毒した、未消毒の、非常に低い、低い、中位の、および高い、非常に高いなどが挙げられるが、これらに限定されない。
【００３３】
多くの技術が、１つ以上の消毒状態１０８を示すために使用され得る。当該技術の例としては、１つ以上の消毒状態１０８を示すために使用され得る、蛍光指示薬、高周波信号、磁気特性、化学指示薬の呈色、およびバーコードの使用が挙げられるが、これらに限定されない。当該技術は、公知であり、かつ例えば、引用によって本明細書に組み込まれる米国特許第６，４８５，９７９号明細書（Electronic system for tracking and monitoring articles to be sterilized and associated method）に説明されている。これらの、および他の技術は、様々に形成され得る（ブレスレット、指輪、カード、首飾り、およびバッジなどが挙げられる）。いくつかの実施形態において、当該技術は、１つ以上の対象１０２を関連し得る。
【００３４】
（消毒度）
多くの基準は、１つ以上の空間１０４に対して１つ以上の消毒度１１０を関連付けるために使用され得る。当該基準としては、空間１０４が消毒された時間の長さ、空間１０４を消毒するために使用された消毒剤の種類、空間１０４が消毒された最後の時期、空間１０４が使用されている回数、空間１０４が消毒されている回数、空間１０４が消毒される頻度、空間１０４が使用される目的、空間１０４がさらされる汚染の種類、および／またはこれらの実質的にあらゆる組み合わせが挙げられるが、これらに限定されない。いくつかの実施形態において、空間１０４と関連する消毒度１１０は、空間１０４が未消毒であることを示し得る。いくつかの実施形態において、空間１０４と関連する消毒度１１０は、空間１０４が消毒されていることを示し得る。いくつかの実施形態において、空間１０４と関連する消毒度１１０は、空間１０４が１種類以上の汚染に関して消毒されていることを示し得る。いくつかの実施形態において、空間１０４と関連する消毒度１１０は、空間１０４が１種類以上の汚染に関して未消毒であることを示し得る。例えば、空間１０４は、細菌汚染に関して消毒され得るが、プリオンについての汚染に関して未消毒であり得る。いくつかの実施形態において、１つ以上の空間１０４は、ある基準（例えば、欧州規格  ＥＮ５５６によって規定される消毒の確かさの度合い）に従って１つ以上の消毒度１１０と関連し得る。いくつかの実施形態において、１つ以上の消毒度１１０は、公知の標準および方法（例えば、国際標準化機構（例えば、ＩＳＯ  １１１３７およびＩＳＯ  １１１３５）によって提案されているそれら）の利用を介して、定義され得、かつ確認され得る。
【００３５】
いくつかの実施形態において、多くの尺度が、使用されて、１つ以上の空間１０４に対して１つ以上の消毒度１１０を関連付け得る。例えば、いくつかの実施形態において、０から１０までの範囲の数字が使用されて、１つ以上の空間１０４と関連する１つ以上の消毒度１１０を規定し得る。いくつかの実施形態において、１から１００までの範囲の数字が使用されて、１つ以上の空間１０４と関連する１つ以上の消毒度１１０を規定し得る。従って、実質的にあらゆる多くの範囲が使用されて、１つ以上の空間１０４と関連する１つ以上の消毒度１１０を規定し得る。いくつかの実施形態において、１つ以上の消毒度１１０は、相対的な表現を介して規定され得る。当該相対的表現の例としては、非常に低い、低い、やや低い、低めな中位の、中位の、高めな中位の、やや高い、高い、および非常に高いなどが挙げられるが、これらに限定されない。いくつかの実施形態において、１つ以上の適合範囲は、１つ以上の消毒度１１０と関連し得る。例えば、いくつかの実施形態において、第１の適合範囲は、１つ以上の第１種の汚染と関連し得、かつ第２の適合範囲は、１つ以上の第２種の汚染と関連し得る。いくつかの実施形態において、１つの適合範囲は、１つの消毒度１１０と関連している。いくつかの実施形態において、１つの適合範囲は、１つ以上の消毒度１１０と関連している。いくつかの実施形態において、適合範囲は、最小値および当該最小値を超える値を含むことを規定され得る。例えば、いくつかの実施形態において、空間１０４は、０から１０までの範囲を有する消毒度１１０および７以上の値を有する適合範囲と関連し得る。従って、７以上の値を有する消毒状態１０８を有する対象１０２は、空間１０４と関連する適合範囲と適合して、空間１０４に入り得る。対照的に、７未満の値を有する消毒状態１０８と関連する対象１０２は、適合範囲外であり、かつ当該対象１０２が空間１０４に入ることは、消毒度１１０と関連する適合範囲と適合していない。
【００３６】
いくつかの実施形態において、適合範囲は、最大値および最大値未満の値を含むことを規定され得る。例えば、いくつかの実施形態において、空間１０４は、０から１０までの範囲を有する消毒度１１０、および３以下の値を有する適合範囲と関連し得る。従って、３以下の値を有する消毒状態１０８と関連する対象１０２は、空間１０４と関連する適合範囲と適合して、空間１０４に入り得る。対照的に、３を超える値を有する消毒状態１０８と関連する対象１０２は、適合範囲外であり、かつ当該対象１０２が空間１０４に入ることは、消毒度１１０と関連する適合状態と適合しない。いくつかの実施形態において、適合範囲は、最小値、最大値、および最小値と最大値との間の値を含むことを規定され得る。例えば、いくつかの実施形態において、空間１０４は、０から１０までの範囲を有する消毒度１１０、および３から７までの値を有する適合範囲と関連し得る。従って、３、７および３と７との間にある値を有する消毒状態１０８と関連する対象１０２は、空間１０４と関連する適合範囲と適合して、空間１０４に入り得る。対照的に、３未満のまたは７を超える値を有する消毒状態１０８と関連する対象１０２は、適合範囲外であり、かつ当該対象１０２が空間１０４に入ることは、消毒度１１０と関連する適合範囲と適合しない。
【００３７】
いくつかの実施形態において、適合範囲は、相対的な値の範囲を含むことを規定され得る。例えば、いくつかの実施形態において、空間は、低いから高いまでという相対的な値、および中位の相対的な値以上を含む適合範囲と関連し得る。従って、中位以上に高い値を有する消毒状態１０８と関連する対象１０２は、空間１０４と関連する適合範囲と適合して、空間１０４に入り得る。対照的に、中位未満である相対的な値を有する消毒状態１０８と関連する対象１０２は、適合範囲外であり、かつ当該対象１０２が空間１０４に入ることは、消毒度１１０と関連する適合範囲と適合しない。
【００３８】
いくつかの実施形態において、空間は、低いから高いまでである相対的な値、および中位の相対的な値以下を含む消毒度１１０と関連し得る。従って、中位以下の値を有する消毒状態１０８と関連する対象１０２は、空間１０４と関連する適合範囲と適合して空間１０４に入り得る。対照的に、中位を越える相対的な値を有する消毒状態１０８と関連する対象１０２は、適合範囲外であり、かつ当該対象１０２が空間１０４に入ることは、消毒度１１０と関連する適合範囲と適合しない。
【００３９】
いくつかの実施形態において、適合範囲は、最小値および最大値を含む相対的な値の範囲を含むことを規定され得る。例えば、いくつかの実施形態において、空間は、低いから高いまでである相対的な値の範囲を有する消毒度１１０、および低めな中位から高めな中位までの相対的な値を含む適合範囲と関連し得る。従って、低めな中位から高めな中位までの値を有する消毒状態１０８と関連する対象１０２は、空間１０４と関連する適合範囲と適合して空間１０４に入り得る。対照的に、高めな中位を越えるか、または低めな中位に満たない相対的な値を有する消毒状態１０８と関連する対象１０２は、適合範囲外であり、かつ当該対象１０２が空間１０４に入ることは、消毒度１１０と関連する適合範囲と適合しない。
【００４０】
多くの技術が使用されて、１つ以上の消毒度１１０を示し得る。当該技術の例としては、１つ以上の消毒度１１０を示すために使用され得る、蛍光指示薬、高周波信号、磁気特性、化学指示薬の呈色、およびバーコードの使用が挙げられるが、これらに限定されない。当該技術は、公知であり、かつ例えば、引用によって本発明に組み込まれる米国特許第６，４８５，９７９号明細書（Electronic system for tracking and monitoring articles to be sterilized and associated method）に説明されている。これらのおよび他の技術は、様々な様式に構成され得る（腕輪、指輪、カード、首飾り、およびバッジなどが挙げられる）。いくつかの実施形態において、当該技術は、１つ以上の空間１０４と関連し得る。
【００４１】
（空間）
システム１００が使用されて、多くの空間１０４を監視し得る。空間１０４の例としては、病院、医薬品製造施設、食品調製施設および／または食品梱包施設、歯科医院、診療所、手術室、動物病院、ならびに診察室などが挙げられるが、これらに限定されない。いくつかの実施形態において、空間１０４は人体である。いくつかの実施形態において、空間１０４は非人体である。いくつかの実施形態において、１つ以上の消毒度１１０は、１つ以上の空間１０４と関連し得る。例えば、病院の待合室は、病院の手術室よりも低い消毒度１１０と関連し得る。いくつかの実施形態において、１つ以上の消毒度１１０は、１つ以上の空間１０４の個性に基づいて１つ以上の空間１０４と関連し得る。例えば、いくつかの実施形態において、１つ以上の空間１０４は、人体または非人体の一部であり得る。
【００４２】
（対象）
システム１００は、多くの産業に使用され得る多種類の対象１０２を含み得る。いくつかの実施形態において、対象１０２は、食品産業に関係する。当該対象１０２の例としては、食品容器、調理用具、および給食労働者などが挙げられるが、これらに限定されない。いくつかの実施形態において、対象１０２は、製薬産業と関係している。当該対象１０２の例としては、医薬品の梱包、製薬労働者、および機械類などが挙げられるが、これらに限定されない。いくつかの実施形態において、対象１０２は、医療産業と関係している。当該対象１０２の例としては、手袋、医療機器、歯科用機器、容器、器具、食品、人間、非人間の動物、手といった人間の一部、および診療器具が挙げられるが、これらに限定されない。
【００４３】
（信号）
システム１００は、１つ以上の信号１１２を含み得る。多くの技術がシステム１００内の１つ以上の信号を生成するために使用され得る。例えば、いくつかの実施形態において、信号１１２は、高周波信号、磁気特性、赤外線信号、デジタル信号、およびアナログ信号などであり得る。いくつかの実施形態において、１つ以上の受信ユニット１１４は、１つ以上の比較ユニット１０６からの１つ以上の信号１１２を受信し得る。いくつかの実施形態において、１つ以上の信号１１２は、１つ以上の記録ユニット１１６によって受信される。
【００４４】
（受信ユニット）
システム１００は、１つ以上の受信ユニット１１４を含み得る。いくつかの実施形態において、１つ以上の受信ユニット１１４は、１つ以上の比較ユニット１０６からの１つ以上の信号１１２を受信する。いくつかの実施形態において、１つ以上の受信ユニット１１４は、１つ以上の記録ユニット１１６と通信する。いくつかの実施形態において、１つ以上の受信ユニット１１４は、１つ以上の応答ユニット１１８と通信できる。いくつかの実施形態において、１つ以上のユーザ１２４は、ユーザ対話１２２を介して１つ以上の受信ユニット１１４と対話し得る。
【００４５】
（記録ユニット）
システム１００は、１つ以上の記録ユニット１１６を含み得る。いくつかの実施形態において、１つ以上の記録ユニット１１６は、１つ以上の比較ユニット１０６からの１つ以上の信号１１２を受信する。いくつかの実施形態において、１つ以上の記録ユニット１１６は、１つ以上の受信ユニット１１４と通信する。いくつかの実施形態において、１つ以上の記録ユニット１１６は、１つ以上の応答ユニット１１８と通信する。いくつかの実施形態において、１つ以上のユーザ１２４は、ユーザ対話１２２を介して１つ以上の記録ユニット１１６と対話し得る。いくつかの実施形態において、１つ以上の記録ユニット１１６は、１つ以上の対象１０２が入っている場合の１つ以上の空間１０４を記録し得る。いくつかの実施形態において、１つ以上の記録ユニット１１６は、１つ以上の対象１０２が入っていない場合の空間１０４を記録し得る。いくつかの実施形態において、１つ以上の記録ユニット１１６は、１つ以上の対象１０２が消毒されている場合を記録し得る。いくつかの実施形態において、１つ以上の記録ユニット１１６は、１つ以上の対象１０２が消毒される頻度を記録し得る。いくつかの実施形態において、１つ以上の記録ユニット１１６は、１つ以上の対象１０２の消毒に使用される消毒方法を記録し得る。いくつかの実施形態において、１つ以上の記録ユニット１１６は、１つ以上の空間１０４に指定されている１つ以上の消毒度１１０を記録し得る。いくつかの実施形態において、１つ以上の記録ユニット１１６は、１つ以上の空間１０４と関連している１つ以上の消毒度１１０に起こった変化を記録し得る。いくつかの実施形態において、１つ以上の記録ユニット１１６は、１つ以上の対象１０２と関連している１つ以上の消毒状態１０８に起こった変化を記録し得る。いくつかの実施形態において、１つ以上の記録ユニット１１６は、１つ以上の対象１０２と関連する１つ以上の消毒状態１０８が、１つ以上の消毒度１１０と関連する値の１つ以上の範囲の内にある場合を記録し得る。いくつかの実施形態において、１つ以上の記録ユニット１１６は、１つ以上の対象１０２と関連する１つ以上の消毒状態１０８が、１つ以上の消毒度１１０と関連する値の１つ以上の範囲の外にある場合を記録し得る。
【００４６】
（応答ユニット）
システム１００は、１つ以上の応答ユニット１１８を含み得る。いくつかの実施形態において、１つ以上の応答ユニット１１８は、１つ以上の受信ユニット１１４と通信する。いくつかの実施形態において、１つ以上の応答ユニット１１８は、１つ以上の記録ユニット１１６と通信する。いくつかの実施形態において、１つ以上のユーザ１２４は、ユーザ対話１２２を介して１つ以上の応答ユニット１１８と対話できる。いくつかの実施形態において、１つ以上の応答ユニット１１８は、１つ以上の制御信号１２０を生成できる。多くの技術が使用されて、システム１００内の１つ以上の制御信号１２０を生成し得る。例えば、いくつかの実施形態において、制御信号１２０は、高周波信号、磁気特性、赤外線信号、デジタル信号およびアナログ信号であり得る。いくつかの実施形態において、１つ以上の応答ユニット１１８は、１つ以上の対象１０２と関連する消毒状態１０８を変えることができる。いくつかの実施形態において、１つ以上の応答ユニット１１８は。１つ以上の空間１０４と関連する消毒度１１０を変えることができる。
【００４７】
（制御信号）
システム１００は、１つ以上の制御信号１２０を含み得る。いくつかの実施形態において、１つ以上の制御信号１２０は、１つ以上の消毒ユニット１２６と関連している。いくつかの実施形態において、１つ以上の制御信号１２０は、１つ以上の記録ユニット１１６と関連している。いくつかの実施形態において、１つ以上の制御信号１２０は、１つ以上の警告ユニット１２８と関連している。いくつかの実施形態において、１つ以上の制御信号１２０は、１つ以上の制御ユニット１３０と関連している。いくつかの実施形態において、１つ以上の制御信号１２０は、１つ以上の応答ユニット１１８によって生成される。
【００４８】
（消毒ユニット）
システム１００は、１つ以上の消毒ユニット１２６を含み得る。多種類の消毒ユニット１２６は、システム１００内において使用され得る。当該消毒ユニット１２６の例としては、化学物質、紫外光、ガンマ放射線、ソニックラジエーション（ｓｏｎｉｃ  ｒａｄｉａｔｉｏｎ）、および熱などを利用して対象１０２または空間１０４を消毒するユニットが挙げられるが、これらに限定されない。いくつかの実施形態において、消毒ユニット１２６は、１つ以上の応答ユニット１１８から受信した制御信号１２０に対応した１つ以上の対象１０２を消毒できる。いくつかの実施形態において、１つ以上の消毒ユニット１２６は、１つ以上の応答ユニット１１８から受信した制御信号１２０に対応した１つ以上の空間１０４を消毒できる。いくつかの実施形態において、１つ以上の消毒ユニット１２６は、１つ以上の対象１０２の消毒状態１０８を変えることができる。
【００４９】
（警告ユニット）
システム１００は、１つ以上の警告ユニット１２８を含み得る。いくつかの実施形態において、１つ以上の警告ユニット１２８は、１つ以上の対象１０２が１つ以上の空間１０４と関連する１つ以上の消毒度１１０と関連する値の１つ以上の範囲の外にある１つ以上の消毒状態１０８を有する場合を、示すことができる。いくつかの実施形態において、１つ以上の警告ユニット１２８は、１つ以上の対象１０２が、１つ以上の空間１０４と関連する１つ以上の消毒度１１０と関連する値の１つ以上の範囲の内にある１つ以上の消毒状態１０８を有する場合を、示すことができる。
【００５０】
（制御ユニット）
システム１００は、１つ以上の制御ユニット１３０を含み得る。制御ユニット１３０は、システム１００による装置の制御を提供するための多くの手段と連結され得る。例えば、いくつかの実施形態において、１つ以上の制御ユニット１３０は、１つ以上の空間１０４に１つ以上の対象１０２が入ること、または１つ以上の空間１０４から出ることを可能にする１つ以上のドアロックと連結され得る。
【００５１】
（ユーザ対話）
システム１００は、ユーザ対話１２２を提供し得る。いくつかの実施形態において、ユーザ１２４は、１つ以上の応答ユニット１１８、１つ以上の記録ユニット１１６、１つ以上の受信ユニット１１４、１つ以上の比較ユニット１０６、１つ以上の消毒ユニット１２６、１つ以上の警告ユニット１２８、１つ以上の制御ユニット１３０および／またはこれらの実質的にあらゆる組み合わせと対話し得る。ユーザ１２４は、多くの技術を介して対話できる。例えば、ユーザ対話１２２は、キーボードの使用といった有線方法の使用、およびインターネットといった無線方法の使用などを介して生じることができる。いくつかの実施形態において、ユーザ１２４は人間である。ある実施形態においてユーザ１２４は人間ではない。
【００５２】
図２は、監視方法の実施に関する動作の例を表す動作フロー２００を説明する。監視方法の実施中に使用される動作の種々の例を含む図２および以下の図面において、議論および説明は、図１の上述の例に関して、および／または他の例および状況に関して与えられ得る。しかし、上記動作は、多くの他の環境および状況、および／または図１の修正版において実行され得ることが理解される。また、種々の動作が例証された順序に示されているが、種々の動作が、例証されている順序以外の順序において実施され得るか、または同時に実施され得ることは、理解される。
【００５３】
開始動作の後に、動作フロー２００は、１つ以上の空間１０４と関連する１つ以上の消毒度に対する、１つ以上の対象と関連する１つ以上の消毒状態の比較に関する動作２１０を包含する。いくつかの実施形態において、１つ以上の比較ユニット１０６は、１つ以上の空間１０４と関連する１つ以上の消毒度１１０に対して、１つ以上の対象１０２と関連する１つ以上の消毒状態１０８を比較する。いくつかの実施形態において、１つ以上の比較ユニット１０６は、１つの消毒度１１０に対して１つの消毒状態１０８を比較する。いくつかの実施形態において、１つ以上の比較ユニット１０６は、１つの消毒度１１０に対して、１つ以上の消毒状態１０８を比較する。いくつかの実施形態において、１つ以上の比較ユニット１０６は、１つ以上の消毒度１１０に対して、１つの消毒状態１０８を比較する。いくつかの実施形態において、１つ以上の比較ユニット１０６は、１つ以上の消毒度１１０と関連する１つ以上の値に対して、１つ以上の消毒状態１０８と関連する１つ以上の値を比較する。いくつかの実施形態において、１つ以上の比較ユニット１０６は、１つ以上の消毒度１１０と関連する値の１つ以上の範囲に対して、１つ以上の消毒状態１０８と関連する値の１つ以上の値を比較する。いくつかの実施形態において、比較は、１つ以上の消毒状態１０８と関連する１つ以上の値が１つ以上の消毒度１１０と関連する１つ以上の値と等しい場合の決定を、包含する。いくつかの実施形態において、比較は、１つ以上の消毒状態１０８と関連する１つ以上の値が、１つ以上の消毒度１１０と関連する値を超える場合の決定を、包含する。いくつかの実施形態において、比較は、１つ以上の消毒状態１０８と関連する１つ以上の値が、１つ以上の消毒度１１０と関連する値に満たない場合の決定を、包含する。いくつかの実施形態において、１つ以上の対象１０２と関連する１つ以上の消毒状態１０８は、消毒されていること、または未消毒であることとして示され得る。いくつかの実施形態において、１つ以上の対象１０２と関連する１つ以上の消毒状態１０８は、１種類以上の汚染に関して消毒されていること、および他の１種類以上の汚染に関して未消毒であることとして示され得る。従って、１つ以上の比較ユニット１０６は、１種類以上の汚染に関して、１つ以上の消毒度１１０に対して１つ以上の消毒状態１０８を比較できる。いくつかの実施形態において、比較は、１つ以上の消毒状態１０８と関連する１つ以上の値が１つ以上の消毒度１１０と関連する１つ以上の値の範囲内にある場合の決定を、包含する。いくつかの実施形態において、比較は、１つ以上の消毒状態１０８と関連する１つ以上の値が１つ以上の消毒度１１０と関連する値の１つ以上の範囲外にある場合の決定を、包含する。いくつかの実施形態において、１つ以上の消毒状態１０８は、１つ以上の対象１０２を消毒するために使用された１つ以上の消毒方法に従って、１つ以上の対象１０２と関連し得る。いくつかの実施形態において、１つ以上の消毒状態１０８は、１つ以上の対象１０２が最後に消毒された時点に従って、１つ以上の対象１０２と関連し得る。いくつかの実施形態において、１つ以上の消毒状態１０８は、国際標準化機構によって提案された基準といった基準に従って、１つ以上の対象１０２と関連し得る。従って、多くの方法が使用されて、１つ以上の対象１０２に対して１つ以上の消毒状態１０８を関連付けし得る。いくつかの実施形態において、１つ以上の消毒状態１０８は、１つ以上の空間１０４にとって所望される消毒の度合いに従って、１つ以上の空間１０４と関連し得る。例えば、病院における手術室は、病院における待合室よりも高い消毒度１１０と関連し得る。従って、多くの方法および基準が使用されて、１つ以上の空間１０４に対して１つ以上の消毒度１１０を関連付けし得る。
【００５４】
また、動作フロー２００は、上記比較に対応した１つ以上の信号の生成に関する伝達動作２２０を包含する。いくつかの実施形態において、１つ以上の比較ユニット１０６は、１つ以上の空間１０４と関連する１つ以上の消毒度１１０に対する１つ以上の対象１０２と関連する１つ以上の消毒状態１０８の比較に対応した１つ以上の信号１１２を生成し得る。いくつかの実施形態において、１つ以上の信号１１２は、１つ以上の記録ユニット１１６によって受信される。いくつかの実施形態において、１つ以上の信号１１２は、１つ以上の受信ユニット１１４によって受信される。いくつかの実施形態において、１つ以上の信号１１２は、１つ以上の記録ユニット１１６および１つ以上の受信ユニット１１４によって受信される。
【００５５】
図３は、図２の例示的な動作フロー２００の代替可能な実施形態を説明する。図３は、比較動作２１０が少なくとも１つの付加的な動作を包含し得る場合の例示的な実施形態を説明する。付加的な動作は、動作３０２および／または３０４を包含し得る。
【００５６】
動作３０２において、比較動作２１０は、１つ以上の消毒状態１０８が１つ以上の消毒度１１０と関連する１つ以上の適合範囲内である場合の決定を包含し得る。いくつかの実施形態において、１つ以上の比較ユニット１０６は、１つ以上の消毒状態１０８が１つ以上の消毒度１１０と関連する１つ以上の適合範囲内である場合を、決定し得る。いくつかの実施形態において、１つ以上の適合範囲は、１つ以上の空間１０４に対して所望される消毒の度合いに従って、１つ以上の消毒度１１０と関連し得る。例えば、いくつかの実施形態において、１つ以上の空間１０４（例えば、人間がいる病院の診察室）は、対象１０２が中位以上に高い消毒状態１０８と関連している場合に空間１０４に対象１０２（例えば、人間）が入ることを許可する、中位の消毒度１１０と関連し得る。しかし、いくつかの実施形態において、１つ以上の空間１０４（例えば、手術が行われる病院の手術室内）は、対象１０２が高い消毒状態１０８と関連する場合に空間１０４に対象１０２（例えば、人間または手術器具）が入ることを許可する、高い消毒度１１０と関連し得る。従って、１つ以上の空間１０４と関連する１つ以上の消毒度１１０１つ以上の空間１０４に対して所望される消毒の度合いに基づいて選択され得る。いくつかの実施形態において、消毒度１１０は、１つ以上の対象１０２と関連する１つ以上の消毒状態１０８によって満たされ得る値の範囲を含み得る。従って、１つ以上の比較ユニット１０６は、１つ以上の消毒度１１０と関連する値の範囲に対する１つ以上の消毒状態１０８を比較して、１つ以上の対象１０２と関連する１つ以上の消毒状態１０８が１つ以上の空間１０４と関連する１つ以上の消毒度１１０に従う場合を決定できる。
【００５７】
動作３０４において、比較動作２１０は、１つ以上の消毒状態１０８が１つ以上の消毒度１１０と関連する１つ以上の適合範囲外である場合の決定を包含し得る。いくつかの実施形態において、１つ以上の比較ユニット１０６は、１つ以上の消毒状態１０８が１つ以上の消毒と関連する１つ以上の適合範囲外である場合を、決定し得る。いくつかの実施形態において、１つ以上の適合範囲は、１つ以上の空間１０４に対して所望される消毒の度合いに従って、１つ以上の消毒度１１０と関連し得る。例えば、いくつかの実施形態において、１つ以上の空間１０４（例えば、人間がいる病院の診察室）は、対象１０２が中位以上に高い消毒状態１０８と関連する場合に対象１０２（例えば、人間）が空間１０４に入ることを許可する、中位の消毒度１１０と関連し得る。しかし、いくつかの実施形態において、１つ以上の空間１０４（例えば、手術が行われる病院の手術室内）は、対象１０２が高い消毒状態１０８と関連する場合に対象１０２（例えば、人間または手術器具）が空間１０４に入ることを許可する、高い消毒度１１０と関連し得る。従って、１つ以上の空間１０４と関連する１つ以上の消毒度１１０は、１つ以上の空間１０４に対して所望される消毒の度合いに基づいて選択され得る。いくつかの実施形態において、消毒度１１０は、１つ以上の対象１０２と関連する１つ以上の消毒状態１０８によって満たされ得る値の範囲を含み得る。従って、１つ以上の比較ユニット１０６は、１つ以上の消毒度１１０対して１つ以上の消毒状態１０８を比較して、１つ以上の対象１０２と関連する１つ以上の消毒状態１０８が１つ以上の空間１０４と関連する１つ以上の消毒度１１０に従わない場合を決定できる。
【００５８】
図４は、図２の例示的な動作フロー２００の代替可能な実施形態を説明する。図４は、生成動作２２０が少なくとも１つの付加的な動作を含む場合の例示的な実施形態を説明する。付加的な動作は、動作４０２、４０６、４０８および／または動作４１０を包含し得る。
【００５９】
動作４０２において、生成動作２２０は、１つ以上の消毒度１１０に対する１つ以上の消毒状態１０８の適合と関連する１つ以上の信号１１２の生成を包含し得る。いくつかの実施形態において、１つ以上の比較ユニット１０６は、１つ以上の消毒度１１０に対する１つ以上の消毒状態１０８の適合と関連する１つ以上の信号１１２を生成できる。いくつかの実施形態において、１つ以上の信号１１２は、１つ以上の消毒度１１０と関連する１つ以上の値を超える関連値を有する１つ以上の消毒状態１０８と関連し得る。従って、１つ以上の比較ユニット１０６は、１つ以上の対象１０２と関連する１つ以上の消毒状態１０８が１つ以上の空間１０４と関連する１つ以上の消毒度１１０を満たすことおよび／または超えることを示す１つ以上の信号を生成できる。いくつかの実施形態において、１つ以上の信号１１２は、１つ以上の消毒度１１０と関連する値の範囲内である、１つ以上の消毒状態１０８と関連する。従って、１つ以上の比較ユニット１０６は、１つ以上の消毒状態１０８は、１つ以上の消毒状態１０８が１つ以上の空間１０４と関連する１つ以上の消毒度１１０を満たすことおよび／または超えることを示す、１つ以上の信号１１２を生成し得る。いくつかの実施形態において、当該信号１１２は、１つ以上の空間１０４に１つ以上の対象１０２が入ることを許可する。いくつかの実施形態において、当該信号１１２は、１つ以上の空間１０４から１つ以上の対象１０２が出ることを許可する。いくつかの実施形態において、当該信号１１２は、１つ以上の記録ユニット１１６によって記録されて、１つ以上の消毒度１１０または１つ以上の消毒手順に対する適合を記録し得る。
【００６０】
動作４０４において、生成動作２２０は、１つ以上の消毒度１１０に対する１つ以上の消毒状態１０８の不適合と関連する１つ以上の信号１１２の生成を包含し得る。いくつかの実施形態において、１つ以上の比較ユニット１０６は、１つ以上の消毒度１１０に対する１つ以上の消毒状態１０８の不適合と関連する、１つ以上の信号１１２を生成できる。いくつかの実施形態において、１つ以上の信号１１２は、１つ以上の消毒度１１０と関連する１つ以上の値を満たさないおよび／または超えない、１つ以上の消毒状態１０８と関連する。従って、１つ以上の比較ユニット１０６は、１つ以上の対象１０２と関連する１つ以上の消毒状態１０８が１つ以上の空間１０４と関連する１つ以上の消毒度１１０を満たさないことおよび／または超えないことを示す、１つ以上の信号１１２を生成できる。いくつかの実施形態において、１つ以上の信号１１２は、１つ以上の消毒度１１０関連する値の範囲内にない、１つ以上の消毒状態１０８と関連する。従って、１つ以上の比較ユニット１０６は、１つ以上の消毒状態１０８が１つ以上の空間１０４と関連する１つ以上の消毒度１１０の１つ以上の範囲を満たさないことおよび／または超えないことを示す、信号１１２を生成できる。いくつかの実施形態において、当該信号１１２は、１つ以上の対象１０２が１つ以上の空間１０４に入ることを許可しない。いくつかの実施形態において、当該信号１１２は、１つ以上の対象１０２が１つ以上の空間１０４から出ることを許可しない。いくつかの実施形態において、当該信号１１２は、１つ以上の記録ユニット１１６によって記録されて、１つ以上の消毒度１１０または１つ以上の消毒手順に対する不適合を記録し得る。
【００６１】
動作４０６において、生成動作２２０は、１つ以上の空間１０４に１つ以上の対象１０２が入ることと関連する１つ以上の信号１１２の生成を包含し得る。いくつかの実施形態において、１つ以上の比較ユニット１０６は、１つ以上の対象１０２が１つ以上の空間１０４に入ることと関連する信号１１２を生成できる。いくつかの実施形態において、１つ以上の対象１０２と関連する１つ以上の消毒状態１０８が１つ以上の空間１０４と関連する１つ以上の消毒度１１０を満たすことおよび／または超えることを、１つ以上の比較ユニット１０６が決定した後に、１つ以上の比較ユニット１０６は、１つ以上の対象１０２が１つ以上の空間１０４に入ることと関連する信号１１２を生成し得る。いくつかの実施形態において、１つ以上の対象１０２と関連する１つ以上の消毒状態１０８が１つ以上の空間１０４と関連する１つ以上の消毒度１１０の値の範囲内であることを、１つ以上の比較ユニット１０６が決定した後に、１つ以上の比較ユニット１０６は、１つ以上の空間１０４に１つ以上の対象１０２が入ることと関連する信号１１２を生成し得る。いくつかの実施形態において、１つ以上の対象１０２と関連する１つ以上の消毒状態１０８が１つ以上の空間１０４と関連する１つ以上の消毒度１１０を満たさないことおよび／または越えないことを、１つ以上の比較ユニット１０６が決定した後に、１つ以上の比較ユニット１０６は、１つ以上の空間１０４に１つ以上の対象１０２が入ることを許可しないことと関連する１つ以上の信号１１２を生成し得る。いくつかの実施形態において、１つ以上の対象１０２と関連する１つ以上の消毒状態１０８が１つ以上の空間１０４と関連する１つ以上の消毒度１１０と関連する値の範囲内にないことを、１つ以上の比較ユニット１０６が決定した後に、比較ユニット１０６は、１つ以上の空間１０４に１つ以上の対象１０２が入ることを許可しないことと関連する信号１１２を生成し得る。従って、いくつかの実施形態において、当該生成動作２２０は、１つ以上の消毒した対象１０２または高い消毒状態１０８を有する１つ以上の対象１０２が、高い消毒度１１０と関連するかまたは消毒した１つ以上の空間１０４に入ることを許可するために使用され得る。他の実施形態において、当該生成動作２２０は、１つ以上の未消毒の対象１０２または低い消毒状態１０８を有する１つ以上の対象１０２が、消毒したか、高い消毒度１１０と関連する１つ以上の空間１０４に入ることを禁止するために使用され得る。
【００６２】
動作４０８において、生成動作２２０は、１つ以上の空間１０４から１つ以上の対象１０２が出ることと関連する信号１１２の生成を包含し得る。いくつかの実施形態において、１つ以上の比較ユニット１０６は、１つ以上の対象１０２が１つ以上の空間１０４から出ることと関連する１つ以上の信号１１２を生成できる。いくつかの実施形態において、１つ以上の対象１０２と関連する１つ以上の消毒状態１０８が１つ以上の空間１０４と関連する１つ以上の消毒度１１０を満たすことおよび／または超えることを、１つ以上の比較ユニット１０６が決定した後に、１つ以上の比較ユニット１０６は、１つ以上の対象１０２が１つ以上の空間１０４から出ることと関連する１つ以上の信号１１２を生成し得る。いくつかの実施形態において、１つ以上の対象１０２と関連する１つ以上の消毒状態１０８が１つ以上の空間１０４と関連する１つ以上の消毒度１１０を満たさないことおよび／または超えないことを、１つ以上の比較ユニット１０６が決定した後に、１つ以上の比較ユニット１０６は、１つ以上の対象１０２が１つ以上の空間１０４から出ることを許可しないことと関連する信号１１２を生成し得る。従って、いくつかの実施形態において、当該生成動作２２０は、１つ以上の消毒した対象１０２または高い消毒状態１０８を有する１つ以上の対象１０２が、高い消毒度１１０と関連するかまたは消毒した１つ以上の空間１０４から出ることを許可するために使用され得る。他の実施形態において、当該生成動作２２０は、１つ以上の未消毒の対象１０２または低い消毒状態１０８を有する１つ以上の対象１０２が、高い消毒度１１０と関連するかまたは消毒した１つ以上の空間１０４から出ることを禁止するために使用され得る。
【００６３】
動作４１０において、生成動作２２０は、１つ以上の警告ユニット１２８と関連する１つ以上の信号１１２の生成を包含し得る。いくつかの実施形態において、１つ以上の比較ユニット１０６は、１つ以上の警告ユニット１２８と関連する１つ以上の信号１１２を生成できる。いくつかの実施形態において、１つ以上の対象１０２と関連する１つ以上の消毒状態１０８と関連する１つ以上の値が１つ以上の空間１０４と関連する１つ以上の消毒度１１０と関連する１つ以上の値を満たすことおよび／または超えることを、１つ以上の比較ユニット１０６が決定した後に、１つ以上の比較ユニット１０６は、１つ以上の警告ユニット１２８と関連する１つ以上の信号１１２を生成し得る。例えば、いくつかの実施形態において、病院における患者を取り巻く空間１０４は、中位の消毒度１１０と関連し得る。中位以上に高い消毒状態１０８と関連する対象１０２（例えば、医師）は、空間１０４に対する対象１０２の不適合を１つ以上の警告ユニット１２８に示させることなく、患者を取り巻く空間１０４に入り得る。例えば、１つ以上の警告ユニット１２８は、警報を鳴らすこと、赤信号の点滅、または他のそのような指示器を止め得る。いくつかの実施形態において、中位以上に高い消毒状態１０８と関連する対象１０２（例えば、医師）は、患者を取り巻く空間１０４に入り得、かつ空間１０４に対する対象１０２の適合を１つ以上の警告ユニット１２８に示させ得る。例えば、１つ以上の警告ユニット１２８は、青信号を点滅し得るか、適合を示す音声記録を作動し得るか、または他のそのような指示器を作動し得る。いくつかの実施形態において、１つ以上の対象１０２と関連する１つ以上の消毒状態１０８と関連する１つ以上の値が１つ以上の空間１０４と関連する１つ以上の消毒度１１０と関連する１つ以上の値を満たさないことおよび／または超えないことを、１つ以上の比較ユニット１０６が決定した後に、１つ以上の比較ユニット１０６は、１つ以上の警告ユニット１２８と関連する１つ以上の信号１１２を生成し得る。例えば、病院における患者を取り巻く空間１０４は、中位以上に高い消毒度１１０と関連し得る。低い消毒状態１０８と関連する対象１０２（例えば、医師）が患者を取り巻く空間１０４に入ることは、空間１０４に対する対象１０２の不適合を１つ以上の警告ユニット１２８に示させ得る。例えば、１つ以上の警告ユニット１２８は、警報を鳴らし得るか、赤信号を点滅し得るか、または他のそのような指示器であり得る。
【００６４】
図５は、図２の例示的な動作フロー２００の代替可能な実施形態を説明する。図５は、生成動作２２０が少なくとも１つの付加的な動作を含み得る場合の例示的な実施形態を説明する。付加的な動作は、動作５０２、５０４および／または動作５０６を包含し得る。
【００６５】
動作５０２において、生成動作２２０は、１つ以上の記録ユニット１１６と関連する１つ以上の信号１１２の生成を包含し得る。いくつかの実施形態において、１つ以上の比較ユニット１０６は、１つ以上の記録ユニット１１６と関連する１つ以上の信号１１２を生成できる。いくつかの実施形態において、１つ以上の空間１０４に関して１つ以上の対象１０２の１つ以上の位置を示す１つ以上の信号１１２が、生成され得る。いくつかの実施形態において、当該信号１１２は、１つ以上の比較ユニット１０６によって生成され得る。いくつかの実施形態において、１つ以上の信号１１２は、１つ以上の記録ユニット１１６によって記録され得る。例えば、いくつかの実施形態において、１つ以上の外科器具の位置は、それらが病院における１つ以上の空間１０４をあちこち動かされるときに追跡され得る。さらに、１つ以上の対象１０２の消毒状態１０８を示す１つ以上の信号１１２が生成され得る。いくつかの実施形態において、当該信号１１２は、１つ以上の比較ユニット１０６によって生成され得る。いくつかの実施形態において、これらの１つ以上の信号１１２は、１つ以上の記録ユニット１１６によって記録され得る。例えば、いくつかの実施形態において、１つ以上の外科器具と関連する１つ以上の消毒状態１０８と関連する１つ以上の信号１１２は、１つ以上の記録ユニット１１６によって記録され得る。従って、１つ以上の対象１０２と関連する１つ以上の消毒状態１０８は、１つ以上の記録ユニット１１６によって長期間に渡って追跡され得、かつ記録され得る。いくつかの実施形態において、１つ以上の空間１０４について１つ以上の対象１０２の位置および消毒状態１０８を示す１つ以上の信号１１２が、生成され得る。当該信号１１２は、１つ以上の記録ユニット１１６によって記録され得る。いくつかの実施形態において、当該信号１１２は、１つ以上の空間１０４に対する１つ以上の対象１０２の適合または不適合を監視するおよび／または報告するために使用され得る。例えば、病院は、外科器具を消毒するために使用される消毒手段に関して確立された手順を有している。外科器具が消毒された時期および場所、ならびに当該器具が運ばれた場所を示す記録は、消毒手順に忠実であることを証明し得る。
【００６６】
動作５０４において、生成動作２２０は、１つ以上の消毒ユニットに関連する１つ以上の信号の生成を包含し得る。いくつかの実施形態において、１つ以上の比較ユニット１０６は、１つ以上の消毒ユニット１２６に関連する１つ以上の１つ以上の信号１１２を生成できる。いくつかの実施形態において、１つ以上の対象１０２を消毒することを１つ以上の消毒ユニット１２６に指示する１つ以上の信号１１２が、生成され得る。例えば、いくつかの実施形態において、１つ以上の対象１０２が１つ以上の低い消毒状態１０８と関連し、かつ消毒されるべきことを示す１つ以上の信号１１２が、生成され得る。従って、１つ以上の信号１１２は、作動して１つ以上の対象１０２を消毒する１つ以上の消毒ユニット１２６によって受信され得る。いくつかの実施形態において、１つ以上の対象１０２が１つ以上の高い消毒状態１０８と関連し、かつ消毒されるべきではないことを示す１つ以上の信号１１２が、生成され得る。従って、１つ以上の信号１１２は、その後に１つ以上の対象１０２の消毒を止める１つ以上の消毒ユニット１２６によって受信され得る。いくつかの実施形態において、１つ以上の比較ユニット１０６は、１つ以上の対象１０２の消毒状態１０８を変えることができる。例えば、いくつかの実施形態において、１つ以上の比較ユニット１０６は、１つ以上の未消毒の対象１０２の消毒状態１０８を、１つ以上の対象１０２が消毒された後の消毒した状態に変えることができる。いくつかの実施形態において、１つ以上の消毒ユニット１２６は、１つ以上の対象１０２の消毒状態１０８を変えることができる。例えば、いくつかの実施形態において、１つ以上の消毒ユニット１２６は、１つ以上の未消毒の対象１０２の消毒状態１０８を、１つ以上の対象１０２が消毒された後の消毒した状態に変えることができる。例えば、いくつかの実施形態において、医師は、中位の消毒度１１０と関連しかつ第１の患者がいる第１の空間１０４に入る時点において、中位以上に高い消毒状態１０８と最初に関連し得る。第１の患者を診察した後に第１の空間１０４を離れる時点において、１つ以上の比較ユニット１０６は、医師と関連する消毒状態１０８を低い消毒状態１０８に変え得る。ある実施形態おいて、第１の患者を診察した後の低い消毒状態１０８と関連する現在の医師は、中位の消毒度１１０と関連し、かつ第２の患者がいる第２の空間１０４に入ることを禁止され得る。１つ以上の比較ユニット１０６は、１つ以上の消毒剤が医師に適用される必要があることを示す１つ以上の信号１１２を生成し得る。従って、１つ以上の消毒ユニット１２６は、医師に対して１つ以上の消毒剤を適用するために利用され得る。１つ以上の消毒手段の終了直後に、医師と関連する消毒状態１０８は、中位以上に高い消毒状態１０８に変えられ得る。いくつかの実施形態において、医師と関連する消毒状態１０８は、１つ以上の比較ユニット１０６によって、１つ以上の消毒ユニット１２６によって、および／またはこれらの実質的な組み合わせによって変えられ得る。現在、医師が中位以上に高い消毒状態１０８と関連するので、現在、医師は、第２の空間１０４に入ることが認められ得る。当該方法は、多くの対象１０２に対して利用され得る。
【００６７】
動作５０６において、生成動作２２０は、１つ以上の制御ユニット１３０と関連する１つ以上の信号１１２の生成を包含し得る。いくつかの実施形態において、１つ以上の比較ユニット１０６は、１つ以上の制御ユニット１３０と関連する１つ以上の信号１１２を生成できる。制御ユニット１３０は、様々な様式に構成され得る。制御ユニット１３０が構成され得る様式の例としては、錠、ドア、明かり、スイッチ、インターネット接続、送信器、および受信器などが挙げられるが、これらに限定されない。いくつかの実施形態において、錠またはドアの一部として構成され得る１つ以上の制御ユニット１３０と関連する１つ以上の制御信号１２０が、生成され得る。従って、１つ以上の制御信号１２０は、当該錠またはドアによって制御される入口または出口を有する１つ以上の空間１０４から入ることまたは出ることを制御し得る。いくつかの実施形態において、１つ以上の制御ユニット１３０は、スイッチとして構成され得る。
【００６８】
開始動作の後に、動作フロー６００は、１つ以上の空間１０４と関連する１つ以上の消毒度に対する１つ以上の対象に関連する１つ以上の消毒状態の比較に対応して生成された１つ以上の信号の受信に関する、受信動作６１０を包含し得る。いくつかの実施形態において、１つ以上の受信ユニット１１４は、１つ以上の空間１０４と関連する１つ以上の消毒度１１０に対する１つ以上の対象１０２に関連する１つ以上の消毒状態１０８の比較に対応して生成された１つ以上の信号１１２を受信し得る。
【００６９】
また、動作フロー６００は、上記受信に対応する応答に関する応答動作６２０を包含する。いくつかの実施形態において、１つ以上の応答ユニット１１８は、１つ以上の空間１０４と関連する１つ以上の消毒度１１０に対する１つ以上の対象１０２と関連する１つ以上の消毒状態１０８の比較に対応して生成された１つ以上の信号１１２と関連する、１つ以上の制御信号１２０を生成し得る。
【００７０】
図７は、図６の例示的な動作フロー６００の代替可能な実施形態を説明する。図７は、受信動作６１０が少なくとも１つの付加的な動作を包含し得る場合の例示的な実施形態を説明する。付加的な動作は、動作７０２、７０４、７０６、７０８および／または動作７１０を包含し得る。
【００７１】
動作７０２において、受信動作６１０は、１つ以上の消毒度１１０に対する１つ以上の消毒状態１０８の適合と関連する１つ以上の信号１１２の受信を包含し得る。いくつかの実施形態において、１つ以上の受信ユニット１１４は、１つ以上の消毒度１１０に対する１つ以上の消毒状態１０８の適合と関連する、１つ以上の信号１１２を受信し得る。いくつかの実施形態において、１つ以上の信号１１２は、１つ以上の消毒度１１０と関連する１つ以上の値を超える関連値を有する、１つ以上の消毒状態１０８と関連する。従って、いくつかの実施形態において、１つ以上の受信ユニット１１４は、１つ以上の対象１０２と関連する１つ以上の消毒状態１０８が１つ以上の空間１０４と関連する１つ以上の消毒度１１０を満たすことおよび／または超えることを示す、１つ以上の信号を受信できる。いくつかの実施形態において、１つ以上の信号１１２は、１つ以上の消毒度１１０と関連する値の範囲内にある、１つ以上の消毒状態１０８と関連する。従って、１つ以上の受信ユニット１１４は、１つ以上の消毒状態１０８が１つ以上の空間１０４と関連する消毒度１１０を満たすことおよび／または超えることを示す、１つ以上の信号１１２を受信できる。いくつかの実施形態において、当該信号１１２は、１つ以上の対象１０２が１つ以上の空間１０４に入ることを許可する。いくつかの実施形態において、当該信号１１２は、１つ以上の消毒手順または１つ以上の消毒度１１０に対する適合を記録するために、１つ以上の記録ユニット１１６によって記録される。
【００７２】
動作７０４において、受信動作６１０は、１つ以上の消毒度に対する１つ以上の消毒状態の不適合と関連する１つ以上の信号の受信を包含し得る。いくつかの実施形態において、１つ以上の受信ユニット１１４は、１つ以上の消毒度１１０に対する１つ以上の消毒状態１０８の不適合と関連する１つ以上の信号１１２を受信できる。いくつかの実施形態において、１つ以上の信号１１２は、１つ以上の消毒度１１０と関連する１つ以上の値を満たさないおよび／または超えない、１つ以上の消毒状態１０８を関連する。従って、１つ以上の受信ユニット１１４は、１つ以上の対象１０２と関連する１つ以上の消毒状態１０８が１つ以上の空間１０４と関連する１つ以上の消毒度１１０を満たすことおよび／または超えることを示す、１つ以上の信号を受信できる。いくつかの実施形態において、１つ以上の信号１１２は、１つ以上の消毒度１１０と関連する値の範囲内にない、１つ以上の消毒状態１０８と関連する。従って、１つ以上の受信ユニット１１４は、１つ以上の消毒状態１０８が１つ以上の空間１０４と関連する１つ以上の消毒度１１０を満たさないことおよび／または超えないことを示す、１つ以上の信号１１２を受信できる。いくつかの実施形態において、当該信号１１２は、１つ以上の空間１０４に１つ以上の対象１０２が入ることを許可しない。いくつかの実施形態において、当該信号１１２は、１つ以上の消毒度１１０または１つ以上の消毒手順に対する不適合を記録するために、１つ以上の記録ユニット１１６によって受信される。
【００７３】
動作７０６において、受信動作６１０は、１つ以上の対象が１つ以上の空間に入ることと関連する１つ以上の信号の受信を包含し得る。いくつかの実施形態において、１つ以上の受信ユニット１１４は、１つ以上の空間１０４に１つ以上の対象１０２が入ることと関連する、１つ以上の信号１１２を受信できる。いくつかの実施形態において、１つ以上の受信ユニット１１４は、１つ以上の対象１０２と関連する１つ以上の消毒状態１０８が１つ以上の空間１０４と関連する１つ以上の消毒度１１０を満たすことおよび／または超えることを決定した１つ以上の比較ユニット１０６から、１つ以上の空間１０４に１つ以上の対象１０２が入ることと関連する１つ以上の信号１１２を受信し得る。いくつかの実施形態において、１つ以上の受信ユニット１１４は、１つ以上の対象１０２と関連する１つ以上の消毒状態１０８が１つ以上の空間１０４と関連する１つ以上の消毒度１１０と関連する値の範囲内であることを決定する１つ以上の比較ユニット１０６から、１つ以上の空間１０４に１つ以上の対象１０２が入ることと関連する１つ以上の信号１１２を受信し得る。いくつかの実施形態において、１つ以上の受信ユニット１１４は、１つ以上の対象１０２と関連する１つ以上の消毒状態１０８が１つ以上の空間１０４と関連する１つ以上の消毒度１１０を満たさないことおよび／または超えないことを決定した１つ以上の比較ユニット１０６から、１つ以上の空間１０４に１つ以上の対象１０２が入ることを許可しないことと関連する１つ以上の信号１１２を受信し得る。いくつかの実施形態において、１つ以上の受信ユニット１１４は、１つ以上の対象１０２と関連する１つ以上の消毒状態１０８が１つ以上の空間１０４と関連する１つ以上の消毒度１１０と関連する値の範囲内にないことを決定する１つ以上の比較ユニット１０６から、１つ以上の空間１０４に１つ以上の対象１０２が入ることを許可しないことと関連する１つ以上の信号１１２を受信し得る。従って、いくつかの実施形態において、当該受信動作６１０は、１つ以上の未消毒の対象１０２または高い消毒状態１０８を有する１つ以上の対象１０２が、高い消毒度１１０と関連するかまたは消毒した１つ以上の空間１０４に入ることを許可するために、使用される。他の実施形態において、当該受信動作６１０は、１つ以上の未消毒の対象１０２または低い消毒状態１０８を有する１つ以上の対象１０２が、高い消毒度１１０と関連するかまたは消毒した１つ以上の空間１０４に入ることを禁止するために、使用される。
【００７４】
動作７０８において、受信動作６１０は、１つ以上の空間１０４から１つ以上の対象１０２が出ることと関連する１つ以上の信号１１２の受信を包含し得る。いくつかの実施形態において、１つ以上の受信ユニット１１４は、１つ以上の空間１０４から１つ以上の対象１０２が出ることと関連する信号１１２を受信できる。いくつかの実施形態において、１つ以上の受信ユニット１１４は、１つ以上の対象１０２と関連する１つ以上の消毒状態１０８が１つ以上の空間１０４と関連する１つ以上の消毒度１１０を満たすことおよび／または超えることを決定する１つ以上の比較ユニット１０６から、１つ以上の対象１０２が１つ以上の空間１０４から出ることと関連する１つ以上の信号１１２を受信し得る。いくつかの実施形態において、１つ以上の受信ユニット１１４は、１つ以上の対象１０２と関連する１つ以上の消毒状態１０８が１つ以上の空間１０４と関連する１つ以上の消毒度１１０を満たさないことおよび／または超えないことを決定する１つ以上の比較ユニット１０６から、１つ以上の空間１０４から１つ以上の対象１０２が出ること許可しないことと関連する１つ以上の信号１１２を受信し得る。従って、いくつかの実施形態において、当該受信動作６１０は、１つ以上の消毒した対象１０２または高い消毒状態１０８を有する１つ以上の対象１０２が、高い消毒度１１０と関連するかまたは消毒した１つ以上の空間１０４から出ることを許可するために使用され得る。他の実施形態において、当該受信動作６１０は、１つ以上の未消毒の対象１０２または低い消毒状態１０８を有する１つ以上の対象１０２が、低い消毒度１１０と関連するかまたは未消毒の空間１０４から出ることを禁止するために使用され得る。
【００７５】
動作７１０において、受信動作６１０は、１つ以上の警告ユニット１２８と関連する１つ以上の信号１１２の受信を包含し得る。いくつかの実施形態において、１つ以上の受信ユニット１１４は、１つ以上の警告ユニット１２８と関連する１つ以上の信号１１２を受信できる。いくつかの実施形態において、１つ以上の受信ユニット１１４は、１つ以上の対象１０２と関連する１つ以上の消毒状態１０８と関連する１つ以上の値が１つ以上の空間１０４と関連する１つ以上の消毒度１１０と関連する１つ以上の値を満たすことおよび／または超えることを決定した１つ以上の比較ユニット１０６から、１つ以上の警告ユニット１２８と関連する１つ以上の信号１１２を受信し得る。例えば、いくつかの実施形態において、病院における患者を取り巻く空間１０４は、中位の消毒度１１０と関連し得る。中位以上に高い消毒状態１０８と関連する対象１０２（例えば、医師）は、空間１０４に対する対象１０２の不適合を１つ以上の警告ユニット１２８に示させることなく、患者を取り巻く空間１０４に入り得る。例えば、警告ユニット１２８は、警報を鳴らすこと、赤信号を点滅すること、または他のそのような指示器を止め得る。いくつかの実施形態において、中位以上に高い消毒状態１０８と関連する対象１０２（例えば、医師）は、患者を取り巻く空間１０４に入り得、かつ空間１０４に対する対象１０２の適合を警告ユニット１２８に示され得る。例えば、１つ以上の警告ユニット１２８は、青信号を点滅するか、適合を示す音声記録を動作し得るか、または他のそのような指示器であり得る。いくつかの実施形態において、１つ以上の受信ユニット１１４は、１つ以上の対象１０２と関連する１つ以上の消毒状態１０８と関連する１つ以上の値が１つ以上の空間１０４と関連する１つ以上の消毒度１１０と関連する値に満たないことを決定した比較ユニット１０６から、１つ以上の警告ユニット１２８と関連する１つ以上の信号１１２を受信し得る。例えば、いくつかの実施形態において、病院における患者を取り巻く空間１０４は、中位の消毒度１１０と関連し得る。低い消毒状態１０８と関連する対象１０２（例えば、医師）は、患者を取り巻く空間１０４に入り得、かつ空間１０４に対する対象１０２の不適合を１つ以上の警告ユニット１２８示させ得る。例えば、１つ以上の警告ユニット１２８は、警報を鳴らし得るか、赤信号を点滅し得るか、または他のそのような指示器であり得る。
【００７６】
図８は、図６の例示的な動作フロー６００の代替可能な実施形態を説明する。図８は、受信動作６１０が少なくとも１つの付加的な動作を包含する場合の例示的な実施形態を説明する。付加的な動作は、動作８０２、８０４および／または動作８０６を包含し得る。
【００７７】
動作８０２において、受信動作６１０は、１つ以上の記録ユニット１１６と関連する１つ以上の信号１１２の受信を包含し得る。いくつかの実施形態において、１つ以上の受信ユニット１１４は、１つ以上の記録ユニット１１６と関連する１つ以上の信号１１２と受信できる。いくつかの実施形態において、１つ以上の空間１０４に関する１つ以上の対象１０２の位置を示す１つ以上の信号１１２が、受信され得る。いくつかの実施形態において、当該信号１１２は、１つ以上の比較ユニット１０６から受信され得る。いくつかの実施形態において、１つ以上の外科器具の位置は、それらが病院における１つ以上の空間１０４をあちこち動かされるときに追跡され得る。さらに、１つ以上の対象１０２の消毒状態１０８を示す１つ以上の信号１１２が、受信され得る。いくつかの実施形態において、当該信号１１２は、１つ以上の受信ユニット１１４によって受信され得る。いくつかの実施形態において、それらの１つ以上の信号１１２は、１つ以上の記録ユニット１１６９によって記録され得る。例えば、いくつかの実施形態において、１つ以上の外科器具と関連する１つ以上の消毒状態１０８と関連する１つ以上の信号１１２は、１つ以上の受信ユニット１１４によって受信され得、かつ記録され得る。従って、１つ以上の対象１０２関連する１つ以上の消毒状態１０８は、１つ以上の記録ユニット１１６によって、長期間に渡って追跡され得、かつ記録され得る。いくつかの実施形態において、１つ以上の空間１０４に関する１つ以上の対象１０２の位置および消毒状態１０８を示す信号１１２が、受信され得る。当該信号１１２は、１つ以上の記録ユニット１１６によって記録され得る。いくつかの実施形態において、当該信号１１２は、１つ以上の空間１０４に関連する１つ以上の手順に対する適合、または不適合を監視する、および／または記録するために使用され得る。例えば、病院は、外科器具を消毒するために使用される消毒手段に関して確立された手順を有し得る。外科器具が消毒された時期および場所、ならびに外科器具が運ばれた場所を示す記録は、消毒手順に忠実であることを証明し得る。
【００７８】
動作８０４において、受信動作６１０は、１つ以上の消毒ユニットと関連する１つ以上の信号の受信を包含し得る。いくつかの実施形態において、１つ以上の受信ユニット１１４は、１つ以上の消毒ユニット１２６と関連する信号１１２を受信できる。いくつかの実施形態において、１つ以上の対象１０２を消毒することを１つ以上の消毒ユニット１２６に指示する１つ以上の信号１１２が、受信され得る。例えば、いくつかの実施形態において、１つ以上の対象１０２が１つ以上の低い消毒状態１０８と関連し、かつ消毒されるべきことを示す１つ以上の信号１１２が、受信され得る。従って、１つ以上の信号１１２は、作動して１つ以上の対象１０２を消毒する１つ以上の消毒ユニット１２６によって受信され得る。いくつかの実施形態において、１つ以上の対象１０２が、高い消毒状態１０８と関連し、かつ消毒されるべきではないことを示す信号１１２が、受信され得る。従って、１つ以上の信号１１２は、その後に１つ以上の対象１０２の消毒を止める１つ以上の消毒ユニット１２６によって受信され得る。
【００７９】
動作８０６において、受信動作６１０は、１つ以上の制御ユニットと関連する１つ以上の信号の受信を包含し得る。いくつかの実施形態において、１つ以上の受信ユニット１１４は、１つ以上の制御ユニット１３０と関連する１つ以上の信号１１２を受信できる。制御ユニット１３０は、様々な様式に構成され得る。制御ユニット１３０が構成され得る様式の例としては、錠、ドア、明かり、スイッチ、インターネット接続、送信器、および受信器などが挙げられるが、これらに限定されない。いくつかの実施形態において、錠またはドアの一部として構成され得る制御ユニット１３０と関連する１つ以上の信号１１２が、受信され得る。従って、１つ以上の信号１１２は、当該錠またはドアによって制御される入口または出口を有する１つ以上の空間１０４から入ることまたは出ることを制御し得る。いくつかの実施形態において、１つ以上の制御ユニット１３０は、スイッチとして構成され得る。
【００８０】
図９は、図６の例示的な動作フロー６００の代替可能な実施形態を説明する。図９は、応答動作６２０が少なくとも１つ以上の動作を含み得る場合の例示的な実施形態を説明する。付加的な動作は、動作９０２、９０４、９０６、９０８、９１０および／または動作９１２を包含し得る。
【００８１】
動作９０２において、１つ以上の空間１０４に１つ以上の対象１０２が入ること関連する１つ以上の制御信号１２０の生成を包含し得る。いくつかの実施形態において、１つ以上の応答ユニット１１８は、１つ以上の空間１０４に１つ以上の対象１０２が入ることと関連する１つ以上の制御信号１２０を生成できる。いくつかの実施形態において、１つ以上の応答ユニット１１８は、１つ以上の対象１０２と関連する１つ以上の消毒状態１０８が１つ以上の空間１０４と関連する１つ以上の消毒度１１０を満たすことおよび／または超えることを、１つ以上の比較ユニット１０６が決定した後に、１つ以上の空間１０４に１つ以上の対象１０２が入ることと関連し得る１つ以上の制御信号１２０を生成し得る。いくつかの実施形態において、１つ以上の応答ユニット１１８は、１つ以上の対象１０２と関連する消毒状態１０８が１つ以上の空間１０４と関連する１つ以上の消毒度１１０の値の範囲内であることを、１つ以上の比較ユニット１０６が決定した後に、１つ以上の空間１０４に１つ以上の対象１０２が入ることと関連する１つ以上の制御信号１２０を生成し得る。いくつかの実施形態において、１つ以上の応答ユニット１１８は、１つ以上の対象１０２と関連する１つ以上の消毒状態１０８が１つ以上の空間１０４と関連する１つ以上の消毒度１１０を満たさないことおよび／または超えないことを、１つ以上の比較ユニット１０６が決定した後に、１つ以上の空間１０４に１つ以上の対象１０２が入ることを許可しないことと関連する１つ以上の制御信号１２０を生成し得る。いくつかの実施形態において、１つ以上の応答ユニット１１８は、１つ以上の対象１０２と関連する１つ以上の消毒状態１０８が１つ以上の空間１０４と関連する１つ以上の消毒度１１０の値の範囲内ではないことを、１つ以上の比較ユニット１０６が決定した後に、１つ以上の空間１０４に１つ以上の対象１０２が入ることを許可しないことと関連する１つ以上の制御信号１２０を生成し得る。従って、いくつかの実施形態において、当該応答動作６２０が、１つ以上の消毒した対象１０２または高い消毒状態１０８を有する１つ以上の対象１０２が、高い消毒度１１０と関連するかまたは消毒した空間１０４に入ることを許可するために、使用される。他の実施形態において、当該応答動作６２０は、１つ以上の未消毒の対象１０２または低い消毒状態１０８を有する１つ以上の対象１０２が、高い消毒度１１０と関連するかまたは消毒した空間１０４に入ることを禁止するために、使用され得る。
【００８２】
動作９０４において、応答動作６２０は、１つ以上の空間１０４から１つ以上の対象１０２が出ることと関連する１つ以上の制御信号１２０の生成を包含し得る。いくつかの実施形態において、１つ以上の応答ユニット１１８は、１つ以上の空間１０４から１つ以上の対象１０２が出ることと関連する１つ以上の制御信号１２０を生成できる。いくつかの実施形態において、１つ以上の応答ユニット１１８は、１つ以上の空間１０４から１つ以上の対象１０２が出ることと関連する１つ以上の制御信号１２０を生成し得る。いくつかの実施形態において、１つ以上の応答ユニット１１８は、消毒状態１０８が１つ以上の空間１０４と関連する１つ以上の消毒度１１０を満たすことおよび／または超えることを、比較ユニット１０６が決定した後に、１つ以上の空間１０４から１つ以上の対象１０２が出ることと関連する１つ以上の制御信号１２０を生成し得る。いくつかの実施形態において、１つ以上の応答ユニット１１８は、１つ以上の対象１０２と関連する１つ以上の消毒状態１０８が１つ以上の空間１０４と関連する１つ以上の消毒度１１０を満たさないことおよび／または超えないことを、１つ以上の比較ユニット１０６が決定した後に、１つ以上の空間１０４から１つ以上の対象１０２が出ることを許可しないことと関連する１つ以上の制御信号１２０を生成し得る。従って、いくつかの実施形態において、当該応答動作６２０は、１つ以上の消毒した対象１０２または高い消毒状態１０８を有する１つ以上の対象１０２が、高い消毒度１１０と関連するかまたは消毒した１つ以上の空間１０４から出ることを許可するために使用され得る。他の実施形態において、当該応答動作６２０は、１つ以上の未消毒の対象１０２または低い消毒状態１０８を有する１つ以上の対象１０２が、低い消毒度１１０と関連するかまたは未消毒の１つ以上の空間１０４から出ることを禁止するために使用され得る。
【００８３】
動作９０６において、応答動作６２０は、１つ以上の警告ユニット１２８と関連する１つ以上の制御信号１２０の生成を包含し得る。いくつかの実施形態において、１つ以上の応答ユニット１１８は、１つ以上の警告ユニット１２８と関連する１つ以上の制御信号１２０を生成できる。いくつかの実施形態において、１つ以上の応答ユニット１１８は、１つ以上の対象１０２と関連する１つ以上の消毒状態１０８と関連する１つ以上の値が１つ以上の空間１０４と関連する１つ以上の消毒度１１０と関連する１つ以上の値を満たすことおよび／または超えることを、１つ以上の比較ユニット１０６が決定した後に、１つ以上の警告ユニット１２８と関連する１つ以上の制御信号１２０を生成し得る。例えば、いくつかの実施形態において、病院における患者を取り巻く空間１０４は、中位の消毒度１１０と関連し得る。中位以上に高い消毒状態１０８と関連する対象１０２（例えば、医師）は、１つ以上の警告ユニット１２８に空間１０４に対する対象１０２の不適合を示させることなく、患者を取り巻く空間１０４に入り得る。例えば、１つ以上の警告ユニット１２８は、警報を鳴らすこと、赤信号を点滅すること、または他のそのような指示器を止め得る。いくつかの実施形態において、中位以上に高い消毒状態１０８と関連する対象１０２（例えば、医師）は、患者を取り巻く空間１０４に入り得、かつ空間１０４に対する対象１０２の適合を警告ユニット１２８に示させ得る。例えば、１つ以上の警告ユニット１２８は、青信号を点滅し得るか、適合を示す音声記録を動作し得るか、または他のそのような指示器であり得る。いくつかの実施形態において、１つ以上の応答ユニット１１８は、１つ以上の対象１０２と関連する１つ以上の消毒状態１０８と関連する１つ以上の値が１つ以上の空間１０４と関連する１つ以上の消毒度１１０と関連する１つ以上の値を満たさないことおよび／または超えないことを、１つ以上の比較ユニット１０６が決定した後に、１つ以上の警告ユニット１２８と関連する１つ以上の制御信号１２０を生成し得る。例えば、いくつかの実施形態において、病院における患者を取り巻く空間１０４は、中位の消毒度１１０と関連し得る。低い消毒状態１０８と関連する対象１０２（例えば、医師）が患者を取り巻く空間１０４に入ることは、１つ以上の警告ユニット１２８に空間１０４に対する対象１０２の不適合を示させる。例えば、１つ以上の警告ユニット１２８は、警報を鳴らし得るか、赤信号を点滅し得るか、または他のそのような指示器であり得る。
【００８４】
動作９０８において、応答動作６２０は、１つ以上の記録ユニット１１６と関連する１つ以上の制御信号１２０の生成を包含し得る。いくつかの実施形態において、１つ以上の応答ユニット１１８は、１つ以上の記録ユニット１１６と関連する１つ以上の制御信号１２０を生成できる。いくつかの実施形態において、１つ以上の空間１０４に関する１つ以上の対象１０２の１つ以上の位置を示す１つ以上の制御信号１２０が、生成され得る。いくつかの実施形態において、当該制御信号１２０は、１つ以上の応答ユニット１１８によって生成され得る。いくつかの実施形態において、１つ以上の制御信号１２０は、１つ以上の記録ユニット１１６によって記録され得る。例えば、いくつかの実施形態において、１つ以上の外科器具の位置は、それらが１つ以上の空間１０４（例えば、病院内）をあちこち動かされるときに追跡され得る。さらに、１つ以上の対象１０２の消毒状態１０８を示す１つ以上の制御信号１２０が生成され得る。いくつかの実施形態において、当該制御信号１２０は、１つ以上の応答ユニット１１８によって生成され得る。いくつかの実施形態において、これらの１つ以上の制御信号１２０は、１つ以上の記録ユニット１１６によって記録され得る。例えば、いくつかの実施形態において、１つ以上の外科器具と関連する１つ以上の消毒状態１０８と関連する１つ以上の制御信号１２０は、１つ以上の応答ユニット１１８によって生成され得、かつ１つ以上の記録ユニット１１６によって記録され得る。従って、１つ以上の対象１０２と関連する１つ以上の消毒状態１０８は、１つ以上の記録ユニット１１６によって長期間に渡って追跡され得、かつ記録され得る。いくつかの実施形態において、１つ以上の空間１０４に関する１つ以上の対象１０２の位置および消毒状態１０８を示す１つ以上の制御信号１２０が、生成され得る。当該制御信号１２０１つ以上の応答ユニット１１８によって生成され得、かつ１つ以上の記録ユニット１１６によって記録され得る。いくつかの実施形態において、当該記録された制御信号１２０は、１つ以上の空間１０４と関連する１つ以上の手順との適合または不適合を、監視するおよび／または報告するために使用され得る。例えば、病院は、外科器具を消毒するために使用される消毒手段に関して確立した手順を有し得る。外科器具が消毒された時期および場所、ならびに当該器具が運ばれた場所を示す記録は、消毒手順に忠実であることを証明する。
【００８５】
動作９１０において、応答動作６２０は、１つ以上の消毒ユニット１２６と関連する１つ以上の制御信号１２０の生成を包含し得る。いくつかの実施形態において、１つ以上の応答ユニット１１８は、１つ以上の消毒ユニット１２６と関連する１つ以上の制御信号１２０を生成できる。いくつかの実施形態において、１つ以上の消毒ユニット１２６に１つ以上の対象１０２を消毒することを指示する１つ以上の制御信号１２０が、生成され得る。例えば、１つ以上の対象１０２が１つ以上の低い消毒状態１０８と関連し、かつ消毒されるべきことを示す１つ以上の制御信号１２０が、生成され得る。従って、１つ以上の制御信号１２０は、作動して１つ以上の対象１０２を消毒する１つ以上の消毒ユニット１２６によって受信され得る。いくつかの実施形態において、１つ以上の対象１０２が１つ以上の高い消毒状態１０８と関連し、かつ消毒されるべきではないことを示す１つ以上の制御信号１２０が、生成され得る。従って、１つ以上の制御信号１２０は、その後に１つ以上の対象１０２の消毒を止める１つ以上の消毒ユニット１２６によって受信され得る。いくつかの実施形態において、１つ以上の応答ユニット１１８は、１つ以上の対象１０２の消毒状態１０８を変えることができる。例えば、いくつかの実施形態において、１つ以上の応答ユニット１１８は、１つ以上の未消毒の対象１０２の消毒状態１０８を、１つ以上の対象１０２が消毒された後の消毒した状態に変えることができる。いくつかの実施形態において、１つ以上の消毒ユニット１２６は、１つ以上の対象１０２の消毒状態１０８を変えることができる。例えば、いくつかの実施形態において、１つ以上の消毒ユニット１２６は、１つ以上の未消毒の対象１０２の消毒状態１０８を、１つ以上の対象１０２が消毒された後の消毒した状態に変えることができる。例えば、いくつかの実施形態において、医師は、中位の消毒度１１０と関連しかつ第１の患者がいる第１の空間１０４に入る時点において、中位以上に高い消毒状態１０８と最初に関連し得る。第１の患者を診察した後に第１の空間１０４を離れる時点において、１つ以上の応答ユニット１１８は、医師と関連する消毒状態１０８を低い消毒状態１０８に変え得る。いくつかの実施形態において、第１の患者を診察した後に、現在、低い消毒状態１０８と関連する医師は、中位の消毒状態１０８を有しかつ第２の患者がいる第２の空間１０４に入ることを禁止され得る。１つ以上の応答ユニット１１８は、１つ以上の消毒剤が医師に適用される必要があることを示す１つ以上の制御信号１２０を生成し得る。従って、１つ以上の消毒ユニット１２６は、１つ以上の消毒剤を医師に対して適用するために使用され得る。１つ以上の消毒手段の終了直後に、医師と関連する消毒状態１０８は、中位以上に高い消毒状態１０８に変えられ得る。いくつかの実施形態において、医師と関連する消毒状態１０８は、１つ以上の応答ユニット１１８によって、１つ以上の消毒ユニット１２６、および／またはこれらの実質的にあらゆる組み合わせによって変えられ得る。医師が、現在、中位以上に高い消毒状態１０８と関連するので、医師は、現在、第２の空間１０４に入ることを許可され得る。当該方法は、多くの対象１０２に対して利用され得る。
【００８６】
動作９１２において、応答動作６２０は、１つ以上の制御ユニット１３０と関連する１つ以上の制御信号１２０の生成を包含し得る。いくつかの実施形態において、１つ以上の応答ユニット１１８は、１つ以上の制御ユニット１３０と関連する１つ以上の制御信号１２０を生成できる。制御ユニット１３０は、様々な様式に構成され得る。制御ユニット１３０が形成され得る様式の例としては、錠、ドア、明かり、スイッチ、インターネット接続、送信器、および受信器などが挙げられるが、これらに限定されない。いくつかの実施形態において、錠またはドアの一部として構成され得る１つ以上の制御ユニット１３０と関連する１つ以上の制御信号１２０が、生成され得る。従って、１つ以上の制御信号１２０は、当該錠またはドアによって制御される入口または出口を有する１つ以上の空間１０４から入ることまたは出ることを制御し得る。いくつかの実施形態において、１つ以上の制御ユニット１３０は、スイッチとして構成され得る。
【００８７】
図１０は、監視システムの実施に関する動作の例を表す動作フロー１０００を説明する。消毒方法の実施の間に使用される動作の種々の例を含む図１０および以下の図面において、議論および説明は、図１の上述の例に関して、および／または他の例および状況に関して、与えられ得る。しかし、動作が、多くの他の環境および状況、および／または図１の修正版において実行され得ることは、理解される。また、種々の動作が例証された順序に示されているが、種々の動作が、例証されている順序以外の順序において実施され得るか、または同時に実施され得ることは、理解される。
【００８８】
開始動作の後に、動作フロー１０００は、１つ以上の空間１０４と関連する１つ以上の消毒度に対する１つ以上の対象と関連する１つ以上の消毒状態の比較用の回路構成に関する、動作１０１０を包含する。いくつかの実施形態において、当該回路構成は、１つ以上の消毒状態１０８が１つ以上の消毒度１１０と関連する１つ以上の適合範囲内である場合の決定に使用され得る。いくつかの実施形態において、当該回路構成は、１つ以上の消毒状態１０８が１つ以上の消毒度１１０と関連する１つ以上の適合範囲外である場合の決定に使用され得る。
【００８９】
また、動作フロー１０００は、上記比較に対応した１つ以上の信号の生成用の回路構成に関する動作１０２０を包含する。いくつかの実施形態において、当該回路構成は、１つ以上の消毒度１１０に対する１つ以上の消毒状態１０８の適合と関連する１つ以上の信号１１２の生成に使用され得る。いくつかの実施形態において、１つ以上の消毒度１１０に対する１つ以上の消毒状態１０８の不適合と関連する１つ以上の信号１１２の生成に使用され得る。いくつかの実施形態において、当該回路構成は、１つ以上の空間１０４に１つ以上の対象１０２が入ることと関連する１つ以上の信号１１２の生成に使用され得る。いくつかの実施形態において、当該回路構成は、１つ以上の空間１０４から１つ以上の対象１０２が出ることと関連する１つ以上の信号１１２の生成に使用され得る。いくつかの実施形態において、当該回路構成は、１つ以上の警告ユニット１２８と関連する１つ以上の信号１１２の生成に使用され得る。いくつかの実施形態において、当該回路構成は、１つ以上の記録ユニット１１６と関連する１つ以上の信号１１２の生成に使用され得る。いくつかの実施形態において、当該回路構成は、１つ以上の消毒ユニット１２６と関連する１つ以上の信号１１２の生成に使用され得る。いくつかの実施形態において、当該回路構成は、１つ以上の制御ユニット１３０と関連する１つ以上の信号１１２の生成に使用され得る。
【００９０】
図１１は、監視システムの実施に関する動作の例を表す動作フロー１１００を説明する。図１１は、消毒方法の実施の間に使用され得る動作の種々の例を説明すると同時に、議論および説明は、図１の上述の例に関して、および／または他の例および状況に関して与えられ得る。しかし、動作が、多くの他の環境および状況、図１の修正版において実行され得ることは、理解される。また、種々の動作が例証された順番に表されているが、種々の動作が例証されている以外の他の順番に実施され得るか、または同時に実行され得ることは、理解される。
【００９１】
開指動作の後に、動作フロー１１００は、１つ以上の空間１０４と関連する１つ以上の消毒度に対する１つ以上の対象と関連する１つ以上の消毒状態の比較に対応して生成された１つ以上の信号の受信用の回路構成に関する動作１１１０を包含する。いくつかの実施形態において、当該回路構成は、１つ以上の消毒度１１０に対する１つ以上の消毒状態１０８の適合と関連する１つ以上の信号１１２の受信に使用され得る。いくつかの実施形態において、当該回路構成は、１つ以上の消毒度１１０に対する１つ以上の消毒状態１０８の不適合と関連する１つ以上の信号１１２の受信に使用され得る。いくつかの実施形態において、当該回路構成は、１つ以上の空間１０４に１つ以上の対象１０２が入ることと関連する１つ以上の信号１１２の受信に使用され得る。いくつかの実施形態において、当該回路構成は、１つ以上の空間１０４から１つ以上の対象１０２が出ることと関連する１つ以上の信号１１２の受信に使用され得る。いくつかの実施形態において、当該回路構成は、１つ以上の警告ユニット１２８と関連する１つ以上の信号１１２の受信に使用され得る。いくつかの実施形態において、当該回路構成は、１つ以上の記録ユニット１１６と関連する１つ以上の信号１１２の受信に使用され得る。いくつかの実施形態において、当該回路構成は、１つ以上の消毒ユニット１２６と関連する１つ以上の信号１１２の受信に使用され得る。いくつかの実施形態において、当該回路構成は、１つ以上の制御ユニット１３０と関連する１つ以上の信号１１２の受信に使用され得る。
【００９２】
また、動作フロー１１００は、上記受信に対応する応答用の回路構成に関する動作１１２０を包含する。いくつかの実施形態において、当該回路構成は、１つ以上の空間１０４に１つ以上の対象１０２が入ることと関連する１つ以上の制御信号１２０の生成に使用され得る。いくつかの実施形態において、当該回路構成は、１つ以上の空間１０４から１つ以上の対象１０２が出ることと関連する１つ以上の制御信号１２０の生成に使用され得る。いくつかの実施形態において、当該回路構成は、１つ以上の警告ユニット１２８と関連する１つ以上の制御信号１２０の生成に使用され得る。いくつかの実施形態において、当該回路構成は、１つ以上の記録ユニット１１６と関連する１つ以上の制御信号１２０の生成に使用され得る。いくつかの実施形態において、当該回路構成は、１つ以上の消毒ユニット１２６と関連する１つ以上の制御信号１２０の生成に使用され得る。いくつかの実施形態において、当該回路構成は、１つ以上の制御ユニット１３０と関連する１つ以上の制御信号１２０の生成に使用され得る。
【００９３】
本明細書における実質的にあらゆる複数形および／または単数形の用語の使用に関して、当業者は、状況および用途に相応しいように、複数形から単数形に、および／または単数形から複数形に言い換え可能である。種々の単数形／複数形の置換は、本明細書において、明確化を目的として特に説明されていない。
【００９４】
本明細書に記載されている議論中の内容の特定の局面が示され、かつ説明されているが、変更および改良が本明細書に記載の内容およびそのより広い局面から逸脱することなくなされ得、かつそれ故に、添付の特許請求の範囲が、本明細書に記載されている内容の真の精神および範囲内にあるような当該変更および改良のすべてを、特許請求の範囲の範囲内に包含することは、本明細書の教示に基づいて当業者にとって明白である。さらに、本発明が添付の特許請求の範囲によって規定されることは、理解される。本明細書、および特に添付の特許請求の範囲（例えば、添付の特許請求の範囲の主要部）において通常に使用される用語が、“制限のない（ｏｐｅｎ）”用語（例えば、“〜を含む”という用語は、“〜を含むが、これ（ら）に限定されない）”と解釈され、“〜を有する”という用語は、“〜を少なくとも有する”解釈され、“〜が挙げられる”という用語は、“〜が挙げられるが、これ（ら）に限定されない”と解釈されるべきである）として一般的に意図されることは、当業者によって理解される。導入された請求項の叙述（ｒｅｃｉｔａｉｏｎ）の明確な数値が意図される場合には当該意図が特許請求範囲に明白に叙述され、かつ当該叙述がない場合には当該意図が存在しないことは、当業者に理解される。例えば、理解を助けるために、以下に添付の特許請求の範囲は、“少なくとも１つの”および“１つ以上の”という前置き表現の利用を含めて、請求項の叙述を導入し得る。しかし、当該表現の利用は、“ａ”および“ａｎ”という不定冠詞による請求項の叙述の導入が、導入された請求項の当該叙述を含むあらゆる請求項を請求項の当該叙述の１つのみを含む発明に制限することを意味すると（同じ請求項が“１つ以上の”または“少なくとも１つの”という前置きの表現、ならびに“ａ”または“ａｎ”といった不定冠詞を含む場合にも等しく）解釈されるべきではなく（例えば、“ａ”および／または“ａｎ”が、一般的に“少なくとも１つの”または“１つ以上の”を意味すると解釈されるべきである）；同じことは、導入された請求項の叙述に使用される定冠詞の利用に関しても適用される。さらに、導入された請求項の叙述の明確な数値が明白に叙述されている場合にも等しく、当業者は、当該叙述が少なくとも叙述された数値を意味すると一般的に解釈されることを認識する（例えば、他の修飾語のない“２つの叙述”というだけの叙述は、少なくとも２つの叙述、または２つ以上の叙述を典型的に意味する）。さらに、“Ａ、ＢおよびＣの少なくとも１つ”と類似の形式が使用されるような場合には、当該構成は、当業者がその形式を理解する意味に意図される（例えば、“Ａ、ＢおよびＣを有するシステム”としては、Ａのみ、Ｂのみ、Ｃのみ、ＡおよびＢをともに、ＡおよびＣをともに、ＢおよびＣをともに、および／またはＡ、ＢおよびＣをともに有するシステムなどが挙げられるが、これらに限定されない）。“Ａ、ＢまたはＣの少なくとも１つ”と類似の形式が使用されるような場合には、当該構成は、当業者がその形式を理解する意味に意図される（例えば、“Ａ、ＢおよびＣを有するシステム”としては、Ａのみ、Ｂのみ、Ｃのみ、ＡおよびＢをともに、ＡおよびＣをともに、ＢおよびＣをともに、および／またはＡ、ＢおよびＣをともに有するシステムなどが挙げられるが、これらに限定されない）。２つ以上の択一的な用語を提示している択一的な単語および／または表現は、明細書本文、特許請求の範囲、または図面のいずれかにおいて、当該用語の１つ、当該用語のいずれか、または当該用語の両方を含むという可能性を意図して理解されるべきことは、当業者によって理解される。例えば、“ＡまたはＢ”という用語は、“Ａ”、“Ｂ”または“ＡおよびＢ”の可能性を含むことを理解される。
【００９５】
当業者は、技術の状態が、システムの局面のハードウェア実施とソフトウェア実施の間にほとんど違いがない程度まで発展しており；ハードウェアおよびソフトウェアの利用が、一般的に（特定の状況において、ハードウェアとソフトウェアとの間の選択が重要になり得るという点において、必ずしもそうとはいえないが）コスト対効率の兼ね合いを表す設計上の選択であることを認識する。当業者は、本明細書に記載の処理および／またはシステムおよび／または他の技術が達成され得る種々の伝達手段があり（例えば、ハードウェア、ソフトウェアおよび／またはファームウェア）、かつ好ましい伝達手段が採用される処理および／またはシステムおよび／または他の技術と関連して変えられることを、十分に理解する。例えば、速度および精度が最高であることを実施手段が決定する場合に、実施手段は、主にハードウェアおよび／またはファームウェアを選択し得る；代替可能に、自由度が最高である場合に、実施手段は、ハードウェア、ソフトウェア、および／またはファームウェアのある組み合わせを選択し得る。従って、本明細書に記載の処理および／またはシステムおよび／または他の技術が達成され得る種々の見込みのある、利用されるべきあらゆる伝達手段があり、当該伝達手段は、当該伝達手段が配置される状況、および当該実施手段の関心事（例えば、速度、自由度、または予測性）に依存する選択である点において、他のものより本質的に優れているものではなく、変更され得るあらゆるものである。当業者は、実施の光学的な局面が、光学的指向性のハードウェア、ソフトウェアおよび  またはファームウェアを典型的に採用することを認識する。
【００９６】
上述の詳細な説明は、ブロック図、フローチャート、および／または例の使用を介して、装置および／または処理の種々の実施形態を説明している。当該ブロック図、フローチャート、および／または例が１つ以上の機能および／または動作を含む範囲において、当該ブロック図、フローチャート、および／または例の範囲内の機能および／または動作のそれぞれが、広範なハードウェア、ソフトウェア、ファームウェア、または実質的にこれらのあらゆる組み合わせによって、個々におよび／または共同して実施され得ることは、当業者によって理解される。いくつかの実施形態において、本明細書に記載されている内容のいくつかの部分は、特定用途向け集積回路（ＡＳＩＣｓ）、フィールドプログラマブルゲートアレイ（ＦＰＧＡｓ）、デジタルシグナルプロセッサ（ｄｉｇｉｔａｌ  ｓｉｇｎａｌ  ｐｒｏｃｅｓｓｏｒｓ）（ＤＰＳｓ）、他の集積フォーマットを介して実施され得る。しかし、本明細書に開示された実施形態のある局面のすべてまたは一部が、１つ以上のコンピュータにおいて実行させる１つ以上のコンピュータプログラムとして（例えば、１つ以上のコンピュータシステムにおいて実行させる１つ以上のコンピュータプログラムとして）、１つ以上のプロセッサにおいて実行させる１つ以上のプログラムとして（例えば、１つ以上のマイクロプロセッサにおいて実行させる１つ以上のプログラムとして）、ファームウェアとして、または実質的にこれらのあらゆる組み合わせとして、集積回路において同等に実施され得ること、ならびにソフトウェアおよび  またはファームウェア用の、回路構成および／またはコード書き込みの設計が本開示に照らして十分に当業者の技術範囲内であることを、当業者は認識する。さらに、本明細書に記載の内容の機構が、種々の形態におけるプログラムプロダクト（ｐｒｏｇｒａｍ  ｐｒｏｄｕｃｔ）として分布可能であること、および本明細書に記載の内容の例示的な実施形態が、当該分布を実際に実行するために使用される特定の種類の信号支持媒体に関係なく適用されることを、当業者は十分に理解する。信号支持媒体の例としては、以下の：フロッピー（登録商標）ディスク、ハードディスクドライブ、コンパクトディスク（ＣＤ）、デジタルビデオディスク（ＤＶＤ）、デジタルテープ、コンピュータメモリなどといった追記型の媒体；およびデジタル通信媒体および／またはアナログ通信媒体（例えば、光ファイバケーブル、導波管、有線の通信回線、無線の通信回線など）といった伝送型の媒体が挙げられるが、これらに限定されない。
【００９７】
一般的な意味において、当業者は、本明細書に記載の種々の実施形態が、ソフトウェア、ハードウェア、ファームウェアもしくは実質的にこれらのあらゆる組み合わせといった広範な電気構成要素；ならびに剛体、弾性体もしくはねじれ体（ｔｏｒｓｉｏｎａｌ  ｂｏｄｉｅｓ）、液圧応用機械、および電磁気作動装置、またはこれらの実質的にあらゆる組み合わせといった機械的な力もしくは運動を伝え得る広範な構成要素を有する電気機械システムによって、個々におよび／または共同して実施され得ることを認識する。従って、本明細書において使用されるときの“電気機械システム”としては、変換器（例えば、作動装置、モータ、圧電性結晶など）と作動可能に連結された電気回路構成、少なくとも１つの個別の電気回路を有する電気回路構成、少なくとも１つの集積回路を有する電気回路構成、少なくとも１つの特定用途向け集積回路を有する電気回路構成、コンピュータプログラム（例えば、本明細書に記載の処理および／または装置を少なくとも部分的に達成するコンピュータプログラムによって構成される多目的コンピュータか、または本明細書に記載の処理および／または装置を少なくとも部分的に達成するコンピュータプログラムによって構成されるマイクロプロセッサ）によって構成された多目的演算装置を形成する電気回路構成、記憶装置（例えば、ランダムアクセスメモリの形態）を形成する電気回路構成、通信装置（例えば、変復調装置、通信切替器、光学−電気装置など）を形成する電気回路構成、ならびに光学的なまたは他の類似物といったこれらに対する非電気的な類似物が挙げられるが、これらに限定されない。当業者は、本明細書において使用されるような電気機械システムが、文脈に指定されていない限り、電気作動および機械作動の両方を有するシステムに限定される必要がないことを認識する。
【００９８】
一般的な意味において、当業者は、広範なハードウェア、ソフトウェア、ファームウェア、またはこれらの実質的にあるゆる組み合わせによって個々におよび／または共同して実施され得る本明細書に記載の種々の局面が、各種の“電気回路構成”から構成されることとしてみなされ得ることを認識する。従って、本明細書において使用されるときの“電気回路構成”としては、少なくとも１つの個別の電気回路を有する電気回路構成、少なくとも１つの集積回路を有する電気回路構成、少なくとも１つの特定用途向け集積回路を有する電気回路構成、コンピュータプログラム（例えば、本明細書に記載の処理および／または装置を少なくとも部分的に達成するコンピュータプログラムによって構成される多目的コンピュータか、または本明細書に記載の処理および／または装置を少なくとも部分的に達成するコンピュータプログラムによって構成されるマイクロプロセッサ）によって構成される多目的演算装置を形成する電気回路構成、記憶装置（例えば、ランダムアクセスメモリの形態）を形成する電気回路構成、および／または通信装置（例えば、変復調装置、通信切替器、または光学−電気装置）を形成する電気回路構成が挙げられるが、これらに限定されない。当業者は、本明細書に記載の内容が、アナログ形式またはデジタル形式またはこれらのある組み合わせにおいて実施され得ることを認識する。
【００９９】
当業者は、それが、本明細書において説明した形式における装置および／または処理および／またはシステムを実施する技術、ならびに当該実施された装置および／または処理および／またはシステムをより総合的な装置および／または処理および／またはシステムに集積するために、技術的手法および／またはビジネス手法をそれに従って使用する技術の範囲内にあることを認識する。すなわち、本明細書に記載の装置および／または処理および／またはシステムの少なくとも一部が、適度な量の実験を介して、他の装置および／または処理および／またはシステムに統合され得る。当該他の装置および／または処理および／またはシステムの例が、状況および用途に応じて、（ａ）空路の輸送機関（例えば、飛行機、ロケット、ホバークラフト、ヘリコプターなど）、（ｂ）陸路の輸送機関（例えば、自動車、トラック、機関車、戦車、装甲兵員輸送車など）、（ｃ）建造物（例えば、家、倉庫、事務所など）、（ｄ）家庭用電気機器（例えば、冷蔵庫、洗浄器、乾燥機など）、（ｅ）通信システム（例えば、ネットワークシステム、電話、画面外から聞こえるＩＰシステムなど）、（ｆ）企業体（例えば、コムキャスト（Ｃｏｍｃａｓｔ）、クエスト（Ｑｕｅｓｔ）、サウスウエスタンベル（Ｓｏｕｔｈｗｅｓｔｅｒｎ  Ｂｅｌｌ）といったインターネット接続サービス業者（ＩＳＰ）事業体など）、または（ｇ）スプリント（Ｓｐｒｉｎｔ）、シングラー（Ｃｉｎｇｕｌａｒ）、ネクステル（Ｎｅｘｔｅｌ）といった有線／無線サービス企業体の、装置および／または処理および／またはシステムのすべてまたは一部を含み得ることを、当業者は認識する。
【０１００】
ユーザ１２４は、本明細書において単一の図示された形状として示されている／記載されているが、当業者は、ユーザ１２４が、人間のユーザ、ロボットのユーザ（例えば、コンピュータを利用したもの）、および／またはこれらの実質的にあらゆる組み合わせ（例えば、ユーザが、１つ以上のロボットの動作主によって支援され得る）の見本で有り得ることを十分に理解する。さらに、ユーザ１２４は、本明細書に記載の単一の存在として示されるが、実際には、２つ以上の存在から構成され得る。当業者は、一般的に、同じことが“送信主”および／または本明細書に使用される用語といった他の存在を指す用語についても言えることを十分に理解する。
【０１０１】
本明細書に記載の内容は、ときとして、他の異なる構成要素を含むか、または接続された異なる構成要素を説明する。そのように表現される構造が単に例示的であり、かつ実際には、同じ機能性を達成する他の多くの構造が実施され得ることが理解されるべきである。概念的な意味において、同じ機能性を達成するための構成のあらゆる配置は、所望の機能性が達成されるように効果的に“関連付けられる”。従って、本明細書において特定の機能性を達成するため組み合わせられた、あらゆる２つの構成要素は、構造または中間の構成要素を問わず、所望の機能が達成されるように互いに“関連付けられる”と想像され得る。また同様に、そのように関連付けられたあらゆる２つの構成要素は、所望の機能性を達成するために互いに“動作可能に接続されている”、または“動作可能に連結されている”とみなされ得、かつまた、関連付け可能な、および／または互いに通信可能なあらゆる２つの構成要素は、所望の機能性を達成するために互いに“動作可能に連結されている”とみなされ得る。動作可能な連結の特定の例としては、物理的に一体になり得るおよび／または物理的に作用する構成要素、および／または無線的に作用可能なおよび／または無線的に作用する構成要素、および／または論理的に作用するおよび／または論理的に作用可能な構成要素が挙げられるが、これらに限定されない。
【０１０２】
多種類の手段が、本明細書に記載されているシステムの１つ以上の実施形態の範囲内に含まれ得る。当該手段の例としては、回路構成、プログラミング、ハードウェア、ソフトウェア、ファームウェア、電気機械システム、論理、および／またはこれらのあらゆる組み合わせが挙げられるが、これらに限定されない。
【０１０３】
いくつかの実施形態において、システムは、１つ以上の空間と関連する１つ以上の消毒度に対して１つ以上の対象と関連する１つ以上の消毒状態を比較する手段、および１つ以上の空間と関連する１つ以上の消毒度に対して１つ以上の対象と関連する１つ以上の消毒状態を比較する上記手段に対応した１つ以上の信号を生成する手段を包含し得る。
【０１０４】
いくつかの実施形態において、１つ以上の空間と関連する１つ以上の消毒度に対して１つ以上の対象と関連する１つ以上の消毒状態を比較する上記手段は、１つ以上の消毒状態が１つ以上の消毒度と関連する１つ以上の適合範囲内である場合を決定する手段を包含し得る。
【０１０５】
いくつかの実施形態において、１つ以上の空間と関連する１つ以上の消毒度に対して、１つ以上の対象と関連する１つ以上の消毒状態を比較する上記手段は、１つ以上の消毒状態が１つ以上の消毒度と関連する１つ以上の適合範囲外である場合決定する手段を包含し得る。
【０１０６】
いくつかの実施形態において、１つ以上の空間と関連する１つ以上の消毒度に対して１つ以上の対象と関連する１つ以上の消毒状態を比較する上記手段に対応した１つ以上の信号を生成する上記手段は、１つ以上の消毒度と関連する１つ以上の消毒状態の適合と関連する１つ以上の信号を生成する手段を包含し得る。
【０１０７】
いくつかの実施形態において、１つ以上の空間と関連する１つ以上の消毒度に対して１つ以上の対象と関連する１つ以上の消毒状態を比較する上記手段に対応した１つ以上の信号を生成する上記手段は、１つ以上の消毒度と関連する１つ以上の消毒状態の不適合と関連する１つ以上の信号を生成する手段を包含し得る。
【０１０８】
いくつかの実施形態において、１つ以上の空間と関連する１つ以上の消毒度に対して１つ以上の対象と関連する１つ以上の消毒状態を比較する上記手段に対応した１つ以上の信号を生成する上記手段は、１つ以上の対象が１つ以上の空間に入ることと関連する１つ以上の信号を生成する手段を包含し得る。
【０１０９】
いくつかの実施形態において、１つ以上の空間と関連する１つ以上の消毒度に対して１つ以上の対象と関連する１つ以上の消毒状態を比較する上記手段に対応した１つ以上の信号を生成する上記手段は、１つ以上の対象が１つ以上の空間から出ることと関連する１つ以上の信号を生成する手段を包含し得る。
【０１１０】
いくつかの実施形態において、１つ以上の空間と関連する１つ以上の消毒度に対して１つ以上の対象と関連する１つ以上の消毒状態を比較する上記手段に対応した１つ以上の信号を生成する上記手段は、１つ以上の警告ユニットと関連する１つ以上の信号を生成する手段を包含し得る。
【０１１１】
いくつかの実施形態において、１つ以上の空間と関連する１つ以上の消毒状態に対して１つ以上の対象と関連する１つ以上の消毒状態を比較する上記手段に対応した１つ以上の信号を生成する上記手段は、１つ以上の記録ユニットと関連する１つ以上の信号を生成する手段を包含し得る。
【０１１２】
いくつかの実施形態において、１つ以上の空間と関連する１つ以上の消毒度に対して１つ以上の対象と関連する１つ以上の消毒状態を比較する上記手段に対応した１つ以上の信号を生成する上記手段は、１つ以上の消毒ユニットと関連する１つ以上の信号を生成する手段を包含し得る。
【０１１３】
いくつかの実施形態において、１つ以上の空間と関連する１つ以上の消毒度に対して１つ以上の対象と関連する１つ以上の消毒状態を比較する上記手段に対応した１つ以上の信号を生成する上記手段は、１つ以上の制御ユニットと関連する１つ以上の信号を生成する手段を包含し得る。
【０１１４】
多種類の手段が、本明細書に記載されているシステムの１つ以上の実施形態の範囲内に包含され得る。当該手段のとしては、回路構成、プログラミング、ハードウェア、ソフトウェア、ファームウェア、電気機械システム、論理、および／またはこれらの実質的にあらゆる組み合わせが挙げられるが、これらに限定されない。
【０１１５】
システムは、１つ以上の空間と関連する１つ以上の消毒度に対する１つ以上の対象と関連する１つ以上の消毒状態の比較に対応して生成された１つ以上の信号を受信する手段、および１つ以上の空間と関連する１つ以上の消毒度に対する１つ以上の対象と関連する１つ以上の消毒状態の比較に対応して生成された１つ以上の信号を受信する上記手段に対応して応答する手段を包含し得る。
【０１１６】
いくつかの実施形態において、１つ以上の空間と関連する１つ以上の消毒度に対する１つ以上の対象と関連する１つ以上の消毒状態の比較に対応して生成された１つ以上の信号を受信する上記手段は、１つ以上の消毒度に対する１つ以上の消毒状態の適合と関連する１つ以上の信号を受信する手段を包含し得る。
【０１１７】
いくつかの実施形態において、１つ以上の空間と関連する１つ以上の消毒度に対する１つ以上の対象と関連する１つ以上の消毒状態の比較に対応して生成された１つ以上の信号を受信する上記手段は、１つ以上の消毒度に対する１つ以上の消毒状態の不適合と関連する１つ以上の信号を受信する手段を包含し得る。
【０１１８】
いくつかの実施形態において、１つ以上の空間と関連する１つ以上の消毒度に対する１つ以上の対象と関連する１つ以上の消毒状態の比較に対応して生成された１つ以上の信号を受信する上記手段は、１つ以上の対象が１つ以上の空間に入ることと関連する１つ以上の信号を受信する手段を包含し得る。
【０１１９】
いくつかの実施形態において、１つ以上の空間と関連する１つ以上の消毒度に対する１つ以上の対象と関連する１つ以上の消毒状態の比較に対応して生成された１つ以上の信号を受信する上記手段は、１つ以上の対象が１つ以上の空間から出ることと関連する１つ以上の信号を受信する手段を包含し得る。
【０１２０】
いくつかの実施形態において、１つ以上の空間と関連する１つ以上の消毒度に対する１つ以上の対象と関連する１つ以上の消毒状態の比較に対応して生成された１つ以上の信号を受信する上記手段は、１つ以上の警告ユニットと関連する１つ以上の信号を受信する手段を包含し得る。
【０１２１】
いくつかの実施形態において、１つ以上の空間と関連する１つ以上の消毒度に対する１つ以上の対象と関連する１つ以上の消毒状態の比較に対応して生成された１つ以上の信号を受信する上記手段は、１つ以上の記録ユニットと関連する１つ以上の信号を受信する手段を包含し得る。
【０１２２】
いくつかの実施形態において、１つ以上の空間と関連する１つ以上の消毒度に対する１つ以上の対象と関連する１つ以上の消毒状態の比較に対応して生成された１つ以上の信号を受信する上記手段は、１つ以上の消毒ユニットと関連する１つ以上の信号を受信する手段を包含し得る。
【０１２３】
いくつかの実施形態において、１つ以上の空間と関連する１つ以上の消毒度に対する１つ以上の対象と関連する１つ以上の消毒状態の比較に対応して生成された１つ以上の信号を受信する上記手段は、１つ以上の制御ユニットと関連する１つ以上の信号を受信する手段を包含し得る。
【０１２４】
いくつかの実施形態において、１つ以上の空間と関連する１つ以上の消毒度に対する１つ以上の対象と関連する１つ以上の消毒状態の比較に対応して生成された１つ以上の信号を受信する上記手段に対応して応答する上記手段は、１つ以上の対象が１つ以上の空間に入ることと関連する１つ以上の制御信号を生成する手段を包含し得る。
【０１２５】
いくつかの実施形態において、１つ以上の空間と関連する１つ以上の消毒度に対する１つ以上の対象と関連する１つ以上の消毒状態の比較に対応して生成された１つ以上の信号を受信する上記手段に対応して応答する上記手段は、１つ以上の対象が１つ以上の空間から出ることと関連する１つ以上の制御信号を生成する手段を包含し得る。
【０１２６】
いくつかの実施形態において、１つ以上の空間と関連する１つ以上の消毒度に対する１つ以上の対象と関連する１つ以上の消毒状態の比較に対応して生成された１つ以上の信号を受信する上記手段に対応して応答する上記手段は、１つ以上の警告ユニットと関連する１つ以上の制御信号を生成する手段を包含し得る。
【０１２７】
いくつかの実施形態において、１つ以上の空間と関連する１つ以上の消毒度に対する１つ以上の対象と関連する１つ以上の消毒状態の比較に対応して生成された１つ以上の信号を受信する上記手段に対応して応答する上記手段は、１つ以上の記録ユニットと関連する１つ以上の制御信号を生成する手段を包含し得る。
【０１２８】
いくつかの実施形態において、１つ以上の空間と関連する１つ以上の消毒度に対する１つ以上の対象と関連する１つ以上の消毒状態の比較に対応して生成された１つ以上の信号を受信する上記手段に対応して応答する上記手段は、１つ以上の消毒ユニットと関連する１つ以上の制御信号を生成する手段を包含し得る。
【０１２９】
いくつかの実施形態において、１つ以上の空間と関連する１つ以上の消毒度に対する１つ以上の対象と関連する１つ以上の消毒状態の比較に対応して生成された１つ以上の信号を受信する上記手段に対応して応答する上記手段は、１つ以上の制御ユニットと関連する１つ以上の制御信号を生成する手段を包含し得る。
【０１３０】
多種類の手段が、本明細書に記載されているシステムの１つ以上の実施形態の範囲内に含まれ得る。当該手段の例としては、回路構成、プログラミング、ハードウェア、ソフトウェア、ファームウェア、電気機械システム、論理、および／またはこれらの実質的にあらゆる組み合わせが挙げられるが、これらに限定されない。
【０１３１】
いくつかの実施形態において、システムは、１つ以上の空間と関連する１つ以上の消毒度に対して１つ以上の対象と関連する１つ以上の消毒状態を比較する手段、および１つ以上の空間と関連する１つ以上の消毒度に対して１つ以上の対象と関連する１つ以上の消毒状態を比較する上記手段に対応した１つ以上の制御信号を生成する手段を包含し得る。
【０１３２】
いくつかの実施形態において、１つ以上の空間と関連する１つ以上の消毒度に対する１つ以上の対象と関連する１つ以上の消毒状態を比較する上記手段は、１つ以上の消毒状態が１つ以上の消毒度と関連する１つ以上の適合範囲内である場合を決定する手段を包含する。
【０１３３】
いくつかの実施形態において、１つ以上の空間と関連する１つ以上の消毒度に対する１つ以上の対象と関連する１つ以上の消毒状態を比較する上記手段は、１つ以上の消毒状態が１つ以上の消毒度と関連する１つ以上の適合範囲外である場合を決定する手段を包含する。
【０１３４】
いくつかの実施形態において、１つ以上の空間と関連する１つ以上の消毒度に対して１つ以上の対象と関連する１つ以上の消毒状態を比較する上記手段に対応した１つ以上の制御信号を生成する上記手段は、１つ以上の対象が１つ以上の空間に入ることと関連する１つ以上の制御信号を生成する手段を包含し得る。
【０１３５】
いくつかの実施形態において、１つ以上の空間と関連する１つ以上の消毒度に対して１つ以上の対象と関連する１つ以上の消毒状態を比較する上記手段に対応した１つ以上の制御信号を生成する上記手段は、１つ以上の対象が１つ以上の空間から出ることと関連する１つ以上の制御信号を生成する手段を包含し得る。
【０１３６】
いくつかの実施形態において、１つ以上の空間と関連する１つ以上の消毒度に対して１つ以上の対象と関連する１つ以上の消毒状態を比較する上記手段に対応した１つ以上の制御信号を生成する上記手段は、１つ以上の警告ユニットと関連する１つ以上の制御信号を生成する手段を包含し得る。
【０１３７】
いくつかの実施形態において、１つ以上の空間と関連する１つ以上の消毒度に対して１つ以上の対象と関連する１つ以上の消毒状態を比較する上記手段に対応した１つ以上の制御信号を生成する上記手段は、１つ以上の記録ユニットと関連する１つ以上の制御信号を生成する手段を包含し得る。
【０１３８】
いくつかの実施形態において、１つ以上の空間と関連する１つ以上の消毒度に対して１つ以上の対象と関連する１つ以上の消毒状態を比較する上記手段に対応した１つ以上の制御信号を生成する上記手段は、１つ以上の消毒ユニットと関連する１つ以上の制御信号を生成する手段を包含し得る。
【０１３９】
いくつかの実施形態において、１つ以上の空間と関連する１つ以上の消毒度に対して１つ以上の対象と関連する１つ以上の消毒状態を比較する上記手段に対応した１つ以上の制御信号を生成する上記手段は、１つ以上の制御ユニットと関連する１つ以上の制御信号を生成する手段を包含し得る。
【０１４０】
多種類の手段が、本明細書に記載されているシステムの１つ以上の実施形態の範囲内に包含され得る。当該手段の例としては、回路構成、プログラミング、ハードウェア、ソフトウェア、ファームウェア、電気機械システム、論理および／またはこれらの実質的にあらゆる組み合わせが挙げられるが、これらに限定されない。
【図面の簡単な説明】
【０１４１】
【図１】図１は、実施形態が実行され得る例示的なシステム１００を説明する。
【図２】図２は、監視方法に関する例示的な動作を表す動作フローを説明する。
【図３】図３は、図２の例示的な動作フローの代替可能な実施形態を説明する。
【図４】図４は、図２の例示的な動作フローの代替可能な実施形態を説明する。
【図５】図５は、図２の例示的な動作フローの代替可能な実施形態を説明する。
【図６】図６は、監視方法に関する例示的な動作を表す動作フローを説明する。
【図７】図７は、図６の例示的な動作フローの代替可能な実施形態を説明する。
【図８】図８は、図６の例示的な動作フローの代替可能な実施形態を説明する。
【図９】図９は、図６の例示的な動作フローの代替可能な実施形態を説明する。
【図１０】図１０は、監視システムに関する回路構成を表す動作フローを説明する。
【図１１】図１１は、監視システムに関する回路構成を表す動作フローを説明する。
【図１】
2009532096.tif 000003
【図２】
2009532096.tif 000004
【図３】
2009532096.tif 000005
【図４】
2009532096.tif 000006
【図５】
2009532096.tif 000007
【図６】
2009532096.tif 000008
【図７】
2009532096.tif 000009
【図８】
2009532096.tif 000010
【図９】
2009532096.tif 000011
【図１０】
2009532096.tif 000012
【図１１】
2009532096.tif 000013
【国際調査報告】
2009532096.tif 000014